(57)【特許請求の範囲】
【請求項１】
個人の識別を行って当該個人が正当な本人であることを認証する認証システムであって、
上記個人を直接的に識別する可視情報を２次元写真として印刷する２次元写真印刷手段と、
上記可視情報を、ホログラム又はホログラフィックステレオグラムとして印刷可能なデータに変換するデータ変換処理手段と、
上記データ変換処理手段によって変換されて得られた上記データに基づいて、上記ホログラム又は上記ホログラフィックステレオグラムを作製するホログラム又はホログラフィックステレオグラム作製手段と、
上記可視情報を蓄積する情報蓄積手段と、
所定の記録部材に対して、上記情報蓄積手段に接続して蓄積された上記可視情報を読み出すための接続情報を電磁的に記録し、上記データ変換処理手段によって上記ホログラム又は上記ホログラフィックステレオグラムとして印刷可能なデータとして変換されて生成された３次元画像データから一部又は全部の画像データを取り出し、上記可視情報として上記記録部材に記録する情報記録手段と、
少なくとも、上記情報記録手段によって上記接続情報が記録された上記記録部材と、上記２次元写真印刷手段によって印刷されて得られた上記２次元写真と、上記ホログラム又はホログラフィックステレオグラム作製手段によって作製されて得られた上記ホログラム又は上記ホログラフィックステレオグラムとを一体化し、上記２次元写真及び上記ホログラム又は上記ホログラフィックステレオグラムが視認可能な状態とされる認証用媒体を製造する認証用媒体製造手段と、
上記情報記録手段によって上記記録部材に記録された上記接続情報に基づいて上記情報蓄積手段に接続し、上記情報蓄積手段に蓄積されている情報の中から、上記接続情報に対応する上記可視情報を受信して提示する提示手段とを備えることを特徴とする認証システム。
【請求項２】
上記情報記録手段によって上記記録部材に記録された上記接続情報を読み出す上記所定の装置としての情報読み出し手段を備えることを特徴とする請求項１記載の認証システム。
【請求項３】
上記提示手段は、携帯可能な端末であり、
上記情報読み出し手段は、上記携帯可能な端末に対して接続されることを特徴とする請求項２記載の認証システム。
【請求項４】
上記情報記録手段は、上記情報蓄積手段と上記提示手段との間で相互認証を行うための暗号による認証鍵としての鍵情報を生成し、上記鍵情報を上記認証用媒体における上記記録部材に書き込むことを特徴とする請求項１記載の認証システム。
【請求項５】
上記提示手段は、暗号化されている認証鍵としての上記鍵情報を復号し、復号して得られた鍵情報が正当なものであるか否かを判定することを特徴とする請求項４記載の認証システム。
【請求項６】
上記提示手段は、上記鍵情報が正当なものでないと判定した場合には、鍵情報が不正なものである旨を提示することを特徴とする請求項１記載の認証システム。
【請求項７】
上記提示手段は、上記鍵情報が正当なものであると判定した場合には、鍵情報が正当なものである旨を提示することを特徴とする請求項５記載の認証システム。
【請求項８】
上記記録部材は、バーコード、磁気ストライプ、又は接触型もしくは非接触型のＩＣチップであることを特徴とする請求項１記載の認証システム。
【請求項９】
上記提示手段は、有線及び／又は無線通信回線を介して上記情報蓄積手段に接続することを特徴とする請求項１記載の認証システム。
【請求項１０】
上記ホログラム又はホログラフィックステレオグラム作製手段は、単色光のみならず白色光でも再生可能な上記ホログラム又は上記ホログラフィックステレオグラムを作製することを特徴とする請求項１記載の認証システム。
【請求項１１】
上記ホログラム又はホログラフィックステレオグラム作製手段は、階調表現が可能な上記ホログラム又は上記ホログラフィックステレオグラムを作製することを特徴とする請求項１記載の認証システム。
【請求項１２】
上記ホログラム又はホログラフィックステレオグラム作製手段は、横方向若しくは縦方向のいずれか一方向又は縦横両方向の視差を表現可能とする上記ホログラム又は上記ホログラフィックステレオグラムを作製することを特徴とする請求項１記載の認証システム。
【請求項１３】
上記認証用媒体は、カード状を呈するものであることを特徴とする請求項１記載の認証システム。
【請求項１４】
上記情報記録手段は、上記接続情報とともに、上記可視情報を上記記録部材に対して記録し、
上記認証用媒体製造手段は、少なくとも、上記情報記録手段によって上記接続情報及び上記可視情報が記録された上記記録部材と、上記２次元写真と、上記ホログラム又は上記ホログラフィックステレオグラムとを一体化し、上記２次元写真及び上記ホログラム又は上記ホログラフィックステレオグラムが視認可能な状態とされる認証用媒体を製造し、
上記提示手段は、上記記録部材に記録された上記接続情報に基づいて上記情報蓄積手段から受信した上記可視情報を提示するとともに、上記情報記録手段によって上記記録部材に記録された上記可視情報を読み出して提示することを特徴とする請求項１記載の認証システム。
【請求項１５】
個人の識別を行って当該個人が正当な本人であることを認証する認証方法であって、
上記個人を直接的に識別する可視情報を２次元写真として印刷する２次元写真印刷工程と、
上記可視情報を、ホログラム又はホログラフィックステレオグラムとして印刷可能なデータに変換するデータ変換処理工程と、
上記データ変換処理工程にて変換されて得られた上記データに基づいて、上記ホログラム又は上記ホログラフィックステレオグラムを作製するホログラム又はホログラフィックステレオグラム作製工程と、
上記可視情報を所定の情報蓄積手段に蓄積する情報蓄積工程と、
所定の記録部材に対して、上記情報蓄積手段に接続して蓄積された上記可視情報を読み出すための接続情報を電磁的に記録し、上記データ変換処理工程で上記ホログラム又は上記ホログラフィックステレオグラムとして印刷可能なデータとして変換されて生成された３次元画像データから一部又は全部の画像データを取り出し、上記可視情報として上記記録部材に記録する情報記録工程と、
少なくとも、上記情報記録工程にて上記接続情報が記録された上記記録部材と、上記２次元写真印刷工程にて印刷されて得られた上記２次元写真と、上記ホログラム又はホログラフィックステレオグラム作製工程にて作製されて得られた上記ホログラム又は上記ホログラフィックステレオグラムとを一体化し、上記２次元写真及び上記ホログラム又は上記ホログラフィックステレオグラムが視認可能な状態とされる認証用媒体を製造する認証用媒体製造工程と、
上記情報記録工程にて上記記録部材に記録された上記接続情報に基づいて上記情報蓄積手段に接続し、上記情報蓄積手段に蓄積されている情報の中から、上記接続情報に対応する上記可視情報を受信して提示する提示工程とを備えることを特徴とする認証方法。
【請求項１６】
個人の識別を行って当該個人が正当な本人であることを認証する認証システムであって、
上記個人を直接的に識別する可視情報を２次元写真として印刷する２次元写真印刷手段と、
上記可視情報を、ホログラム又はホログラフィックステレオグラムとして印刷可能なデータに変換するデータ変換処理手段と、
上記データ変換処理手段によって変換されて得られた上記データに基づいて、上記ホログラム又は上記ホログラフィックステレオグラムを作製するホログラム又はホログラフィックステレオグラム作製手段と、
所定の記録部材に対して、上記可視情報を電磁的に記録し，上記データ変換処理手段によって上記ホログラム又は上記ホログラフィックステレオグラムとして印刷可能なデータとして変換されて生成された３次元画像データから一部又は全部の画像データを取り出し、上記可視情報として上記記録部材に記録する情報記録手段と、
少なくとも、上記情報記録手段によって上記可視情報が記録された上記記録部材と、上記２次元写真印刷手段によって印刷されて得られた上記２次元写真と、上記ホログラム又はホログラフィックステレオグラム作製手段によって作製されて得られた上記ホログラム又は上記ホログラフィックステレオグラムとを一体化し、上記２次元写真及び上記ホログラム又は上記ホログラフィックステレオグラムが視認可能な状態とされる認証用媒体を製造する認証用媒体製造手段と、
上記情報記録手段によって上記記録部材に記録された上記可視情報を読み出して提示する提示手段とを備えることを特徴とする認証システム。
【請求項１７】
上記可視情報を蓄積する情報蓄積手段を備えることを特徴とする請求項１６記載の認証システム。
【請求項１８】
上記情報記録手段によって上記記録部材に記録された上記可視情報を読み出す上記所定の装置としての情報読み出し手段を備えることを特徴とする請求項１６記載の認証システム。
【請求項１９】
上記提示手段は、携帯可能な端末であり、上記情報読み出し手段は、上記携帯可能な端末に対して接続されることを特徴とする請求項１８記載の認証システム。
【請求項２０】
上記情報記録手段は、上記可視情報を上記記録部材に記録するのに適したものとするための所定の変換処理を施すことを特徴とする請求項１６記載の認証システム。
【請求項２１】
上記情報記録手段は、上記提示手段によって上記認証用媒体の認証を行うための暗号による認証鍵としての鍵情報を生成し、上記鍵情報を上記認証用媒体における上記記録部材に書き込むことを特徴とする請求項１６記載の認証システム。
【請求項２２】
上記提示手段は、暗号化されている認証鍵としての上記鍵情報を復号し、復号して得られた鍵情報が正当なものであるか否かを判定することを特徴とする請求項２１記載の認証システム。
【請求項２３】
上記提示手段は、上記鍵情報が正当なものでないと判定した場合には、鍵情報が不正なものである旨を提示することを特徴とする請求項２２記載の認証システム。
【請求項２４】
上記提示手段は、上記鍵情報が正当なものであると判定した場合には、鍵情報が正当なものである旨を提示することを特徴とする請求項２２記載の認証システム。
【請求項２５】
上記情報記録手段は、上記可視情報を暗号化及び復号するための暗号鍵と復号鍵とを生成し、上記暗号鍵を用いて上記可視情報を暗号化して上記記録部材に記録することを特徴とする請求項１６記載の認証システム。
【請求項２６】
上記提示手段は、暗号化されている上記可視情報を上記復号鍵を用いて復号し、復号して得られた上記可視情報を提示することを特徴とする請求項２５記載の認証システム。
【請求項２７】
上記記録部材は、バーコード、磁気ストライプ、又は接触型もしくは非接触型のＩＣチップであることを特徴とする請求項１６記載の認証システム。
【請求項２８】
上記提示手段は、有線及び／又は無線通信回線を介して上記情報蓄積手段に接続することを特徴とする請求項１６記載の認証システム。
【請求項２９】
上記ホログラム又はホログラフィックステレオグラム作製手段は、単色光のみならず白色光でも再生可能な上記ホログラム又は上記ホログラフィックステレオグラムを作製することを特徴とする請求項１６記載の認証システム。
【請求項３０】
上記ホログラム又はホログラフィックステレオグラム作製手段は、階調表現が可能な上記ホログラム又は上記ホログラフィックステレオグラムを作製することを特徴とする請求項１６記載の認証システム。
【請求項３１】
上記ホログラム又はホログラフィックステレオグラム作製手段は、横方向若しくは縦方向のいずれか一方向又は縦横両方向の視差を表現可能とする上記ホログラム又は上記ホログラフィックステレオグラムを作製することを特徴とする請求項１６記載の認証システム。
【請求項３２】
上記認証用媒体は、カード状を呈するものであることを特徴とする請求項１６記載の認証システム。
【請求項３３】
個人の識別を行って当該個人が正当な本人であることを認証する認証方法であって、
上記個人を直接的に識別する可視情報を２次元写真として印刷する２次元写真印刷工程と、
上記可視情報を、ホログラム又はホログラフィックステレオグラムとして印刷可能なデータに変換するデータ変換処理工程と、
上記データ変換処理工程にて変換されて得られた上記データに基づいて、上記ホログラム又は上記ホログラフィックステレオグラムを作製するホログラム又はホログラフィックステレオグラム作製工程と、
所定の記録部材に対して、上記可視情報を電磁的に記録し，上記データ変換処理手段によって上記ホログラム又は上記ホログラフィックステレオグラムとして印刷可能なデータとして変換されて生成された３次元画像データから一部又は全部の画像データを取り出し、上記可視情報として上記記録部材に記録する情報記録工程と、
少なくとも、上記情報記録工程にて上記可視情報が記録された上記記録部材と、上記２次元写真印刷工程にて印刷されて得られた上記２次元写真と、上記ホログラム又はホログラフィックステレオグラム作製工程にて作製されて得られた上記ホログラム又は上記ホログラフィックステレオグラムとを一体化し、上記２次元写真及び上記ホログラム又は上記ホログラフィックステレオグラムが視認可能な状態とされる認証用媒体を製造する認証用媒体製造工程と、
上記情報記録工程にて上記記録部材に記録された上記可視情報を読み出して提示する提示工程とを備えることを特徴とする認証方法。
【請求項３４】
個人の識別を行って当該個人が正当な本人であることを認証する認証システムに用いられる認証用媒体を製造する認証用媒体製造装置であって、
上記個人を直接的に識別する可視情報を２次元写真として印刷する２次元写真印刷手段と、
上記可視情報を、ホログラム又はホログラフィックステレオグラムとして印刷可能なデータに変換するデータ変換処理手段と、
上記データ変換処理手段によって変換されて得られた上記データに基づいて、上記ホログラム又は上記ホログラフィックステレオグラムを作製するホログラム又はホログラフィックステレオグラム作製手段と、
上記可視情報を蓄積する情報蓄積手段と、
所定の記録部材に対して、上記情報蓄積手段に接続して蓄積された上記可視情報を読み出すための接続情報を電磁的に記録し，上記データ変換処理手段によって上記ホログラム又は上記ホログラフィックステレオグラムとして印刷可能なデータとして変換されて生成された３次元画像データから一部又は全部の画像データを取り出し、上記可視情報として上記記録部材に記録する情報記録手段と、
少なくとも、上記情報記録手段によって上記接続情報が記録された上記記録部材と、上記２次元写真印刷手段によって印刷されて得られた上記２次元写真と、上記ホログラム又はホログラフィックステレオグラム作製手段によって作製されて得られた上記ホログラム又は上記ホログラフィックステレオグラムとを一体化し、上記２次元写真及び上記ホログラム又は上記ホログラフィックステレオグラムが視認可能な状態とされる認証用媒体を製造する認証用媒体製造手段とを備えることを特徴とする認証用媒体製造装置。
【請求項３５】
上記認証用媒体は、カード状を呈するものであることを特徴とする請求項３４記載の認証用媒体製造装置。
【請求項３６】
上記情報記録手段は、上記接続情報とともに、上記可視情報を上記記録部材に対して記録し、
上記認証用媒体製造手段は、少なくとも、上記情報記録手段によって上記接続情報及び上記可視情報が記録された上記記録部材と、上記２次元写真と、上記ホログラム又は上記ホログラフィックステレオグラムとを一体化し、上記２次元写真及び上記ホログラム又は上記ホログラフィックステレオグラムが視認可能な状態とされる認証用媒体を製造することを特徴とする請求項３４記載の認証用媒体製造装置。
【請求項３７】
個人の識別を行って当該個人が正当な本人であることを認証する認証システムに用いられる認証用媒体を製造する認証用媒体製造装置であって、
上記個人を直接的に識別する可視情報を２次元写真として印刷する２次元写真印刷手段と、
上記可視情報を、ホログラム又はホログラフィックステレオグラムとして印刷可能なデータに変換するデータ変換処理手段と、
上記データ変換処理手段によって変換されて得られた上記データに基づいて、上記ホログラム又は上記ホログラフィックステレオグラムを作製するホログラム又はホログラフィックステレオグラム作製手段と、
所定の記録部材に対して、上記可視情報を電磁的に記録し，上記データ変換処理手段によって上記ホログラム又は上記ホログラフィックステレオグラムとして印刷可能なデータとして変換されて生成された３次元画像データから一部又は全部の画像データを取り出し、上記可視情報として上記記録部材に記録する情報記録手段と、
少なくとも、上記情報記録手段によって上記可視情報が記録された上記記録部材と、上記２次元写真印刷手段によって印刷されて得られた上記２次元写真と、上記ホログラム又はホログラフィックステレオグラム作製手段によって作製されて得られた上記ホログラム又は上記ホログラフィックステレオグラムとを一体化し、上記２次元写真及び上記ホログラム又は上記ホログラフィックステレオグラムが視認可能な状態とされる認証用媒体を製造する認証用媒体製造手段とを備えることを特徴とする認証用媒体製造装置。
【請求項３８】
上記可視情報を蓄積する情報蓄積手段を備えることを特徴とする請求項３７記載の認証用媒体製造装置。
【請求項３９】
上記認証用媒体は、カード状を呈するものであることを特徴とする請求項３７記載の認証用媒体製造装置。
【発明の詳細な説明】
【０００１】
【発明の属する技術分野】
本発明は、個人の識別を行って当該個人が正当な本人であることを認証する認証システム及び認証方法、並びに、これらの認証システム及び認証方法に用いられる認証用媒体を製造する認証用媒体製造装置及びこの認証用媒体製造装置によって製造された認証用媒体を用いて認証を行う認証端末装置に関する。
【０００２】
【従来の技術】
現在、個人が所定のサービスを享受したり所定の手続きを行ったりする際に、当該個人の識別を行い、当該個人が、サービスの享受資格を有しているか否か、又は手続きを行うことを可能とするための所定の登録がされているか否かといった正当な本人であるか否かの確認を求められることが多い。また、現在では、手紙やネットワークを介して送受信される電子メール等の書類が正当なものであるか否かを証明することも行われる。このような行為は、一般に、認証（certification）と称される。すなわち、認証とは、自然人（個人）や法人、団体、物品、装置、手紙等が、他人や偽物ではないことを識別し、本人又は本物であることを証明する行為である。
【０００３】
このような認証は、用途や目的に応じて、その方式が各種分類されるが、その中で、個人を識別するための本人認証（Identification又はAuthentication）がある。この本人認証とは、自然人（個人）の識別を行い、所定の資格を有していたり登録がされていたりする本人であるか否かを確認する行為である。
【０００４】
このような本人認証の方法としては、例えば運転免許証やパスポート等の身分証明書や一部のクレジットカード等にみられるように、個人の顔写真が視認可能に貼付された認証用媒体を介して行うものがある他、指紋、網膜、虹彩、声紋、筆跡といった個人に固有の情報を利用するものがある。また、本人認証の方法としては、クレジットカード等のように、それを所持している事実をもって簡易的に行うものもある。さらに、本人認証の方法としては、近年のネットワーク技術の普及によって発達している電子商取引にて用いられるような暗証番号等のパスワードによる認証やディジタル署名による認証といった技術と他の認証技術とを組み合わせた技術も開発されている。
【０００５】
これらの本人認証技術においては、高い確度で本人を識別することが重要である。しかしながら、本人認証技術としては、高い確度での識別が要求される一方で、安価な費用で行いたい、可能であれば認証のための専用の装置等を必要としない、場所を問わず認証作業を行いたい、認証作業の煩雑さを軽減したい、又は本人認証対象者である個人への圧迫感を軽減したい、といった相反する要求も存在するのが実情である。
【０００６】
このような本人認証技術の技術的な評価は、各種業界でも検討されており、例えば、平成１０年４月に電子商取引実証推進協議会（現・電子商取引推進協議会（Electronic Commerce Promotion Council of Japan））における本人認証技術検討ＷＧにより、"本人認証技術の評価基準（第１版）"が公開されている。また、平成１２年３月には、同協議会における認証・公証ＷＧにより、"認証のレベルと本人確認方式に関する提言"も公開されている。
【０００７】
【発明が解決しようとする課題】
ところで、ホログラフィ技術を利用して作製されるホログラムは、昇華型やインクジェット方式等のプリンタや、電子写真方式等の複写機によって作製される印刷物に比べ、複製や偽造が困難であることから、本人認証にも用いられている。
【０００８】
例えば、ホログラムは、クレジットカードや社員証、さらには紙幣といった耐偽造性を要する物品の一部に視認可能に組み込まれ、その物品の耐偽造性を向上させるものとして利用されている。
【０００９】
ただし、このような耐偽造性に優れるホログラムを利用した本人認証技術においては、写真のように階調を表現可能であるいわゆるイメージホログラムとして作製するには、大量生産が困難であり且つ高価となることから、より安価であって大量複製が可能であるエンボスホログラムを用いることが多い。
【００１０】
エンボスホログラムは、金属箔や高分子フィルムに対して凹凸を付すことによってホログラムとするものであり、原版があれば、その原版をプレス又は型取りすることによって安価に大量生産することが可能である。しかしながら、エンボスホログラムにおいては、原版の作製に多額の費用を要し、数百枚未満の複製を作製する際には、原版作製費用が複製を含めた全体の作製費用の大半を占めるのが実情であり、コストの面で難があるのが否めない。
【００１１】
また、ホログラムとしては、より自由な画像表現を達成することを目的としてホログラムの原版を作製するために、コンピュータによって光の波面や干渉縞を算出するいわゆる計算機ホログラム（Computer Generated Hologram；ＣＧＨ）の手法が用いられることもある。しかしながら、計算機ホログラムは、未だ作製技術が発達しておらず、レーザ等の単色光でしか再生することができず、写真のような十分な階調表現を可能とする段階には達していない。
【００１２】
このようなエンボスホログラムや計算機ホログラムを原版とする複製型のホログラムにおいては、同一のホログラムを大量に複製可能である。そのため、これらのホログラムを利用した本人認証技術においては、耐偽造性を要する物品に当該ホログラムを組み込む際に、例えばクレジットカードであれば１種類のクレジットカードに対して同じホログラムを組み込むといったように、種類毎に共通のホログラムを組み込むことになる。
【００１３】
しかしながら、これらのホログラムは、大量複製が可能であるが故に、原版に相当するホログラムが偽造されると大量に偽造品が製造される事態を招来することから、種類毎に共通のものが組み込まれた物品の認証に利用するには不適な面があった。
【００１４】
そこで、これらのエンボスホログラムや計算機ホログラムを利用した本人認証技術の一環として、耐偽造性を要する物品の製造や耐偽造性を要する物品の認証を行う技術が各種提案されている。
【００１５】
このような技術としては、例えば、特開２０００−３４８１４５号公報に記載されているものがある。
【００１６】
この技術は、英文字や数字等の３００種類の画像が再生可能なホログラム群から原版となるスタンパを作製し、このスタンパを用いて、生カードに計算機ホログラムを形成するものである。したがって、この技術においては、同公報中段落［００２５］に記載されているように、１つのスタンパから製造された生カードは計算機ホログラムからなる同じフォーマットのデータ記憶領域を有するものとなる。この技術においては、同じフォーマットのデータ記憶領域の中にカード固有の識別情報を記録する手法として、データ記憶領域の中に例えば１０個の計算機ホログラムが並んでいる場合に、そのうちの５個を破壊する、という手法を用いている。
【００１７】
すなわち、この技術においては、計算機ホログラムを原版とする複製型のホログラムをカードに組み込み、そのホログラムの一部を破壊することによって個別の情報を記録している。したがって、この技術は、従来の計算機ホログラムの欠点、すなわち、再生光がレーザ等の単色光に限られる点や写真のような十分な階調表現が不可能である点を克服するものではなく、当該技術を用いた場合には、人物写真のような画像を表現することができず、任意の照明光といった白色光再生を行うことはできない。
【００１８】
また、耐偽造性を要する物品の製造や耐偽造性を要する物品の認証を行う技術としては、例えば、特開２０００−３４８１４９号公報に記載されているものがある。
【００１９】
同公報には、上述した特開２０００−３４８１４５号公報に記載されている技術を用いて作製されるホログラム付きのカードを発行する装置やこれに付随するデータベース、発行されたカードに対して単色光を照射してホログラムを読み出す装置、読み出されたホログラムから得られる情報とデータベースに保持された情報とを照合して認証を行う装置、及びこれらの装置等から構成されるシステムについて記載されている。
【００２０】
すなわち、これらの特開２０００−３４８１４５号公報及び特開２０００−３４８１４９号公報は、単色光を照射することによって再生を可能とする計算機ホログラムを原版とする複製型のホログラムをカードに組み込み、そのホログラムの一部を破壊することによって個別の情報を記録したカードと、このカードを用いた認証技術について開示したものである。
【００２１】
さらに、耐偽造性を要する物品の製造や耐偽造性を要する物品の認証を行う技術としては、例えば、特許第２９０６７３０号公報に記載されているものがある。
【００２２】
この技術は、数字、文字、記号等の情報要素を、それぞれ、情報パターンとしてホログラムに記録し、そのホログラムを情報メディアの一部に配設するものであり、例えば、エンボスホログラムを用いて、バーコードや磁気パターンのように数字、文字、記号等の情報を記録するとともに、コヒーレントな光を用いて読み出すものである。したがって、この公報も、単色光を照射して再生を可能とするエンボスホログラム（レリーフホログラム）をカードに組み込み、情報を記録する技術を開示したものである。
【００２３】
さらにまた、耐偽造性を要する物品の製造や耐偽造性を要する物品の認証を行う技術としては、例えば、特開平１１−３３９０４９号公報に記載されているものがある。
【００２４】
この技術は、個人を識別するための写真、サイン文字、又は実印影といった個人を識別する可視情報を表面に有するカードに対して、可視情報をｎ×ｍ画素の多値画像として読み取り、読み取った画像を複数のブロックに分割するといった手法によって特徴の照合度を算出するものである。
【００２５】
また、耐偽造性を要する物品の製造や耐偽造性を要する物品の認証を行う技術としては、例えば、特開平１１−６６３１５号公報に記載されているものがある。
【００２６】
この技術は、上述した特開平１１−３３９０４９号公報に記載されている技術と同様の技術を用いて可視情報を多値画像として読み取り、読み取った画像の中で、ある画素とその周辺画素との映像レベルを比較するといった手法によって特徴の照合度を算出するものである。
【００２７】
すなわち、これらの特開平１１−３３９０４９号公報及び特開平１１−３３９０４９号公報は、個人を識別するための可視情報を所定の装置によって自動的に照合する技術について開示したものである。
【００２８】
さらに、耐偽造性を要する物品の製造や耐偽造性を要する物品の認証を行う技術としては、例えば、特開平１０−１２４６４２号公報に記載されているものがある。
【００２９】
この技術は、従来の銀行におけるキャッシュカードと同様のものであり、情報を記憶させた記憶部と、その情報の一部を隠蔽した残りの情報を表示する表示面とを有するカードに対して、隠蔽されて表示されていない情報をカードの所持者に問い合わせることによって照合を行うものである。同公報には、隠蔽された情報を暗号化したり、隠蔽された情報にユニークな情報を挿入したりすることにより、より高い耐偽造性が得られる旨が記載されている。
【００３０】
ところで、これらの各公報に記載されたような従来の本人認証に関する技術は、ホログラムを利用するものであれば単色光でしかホログラムを再生することができず、認証作業を行う際に、再生のための専用の装置が必要となり、全体として高価となるおそれがあり、また、認証作業を行う場所が限定され、認証作業の煩雑さを生じるおそれが否めない。また、これらの技術において用いられる物品は、数字、文字、記号といった情報要素がホログラムとして記録されるものであることから、本人認証対象者である個人を直接的に識別するものとはいい難いものであり、たとえ真正品であっても、盗難等がされたものによるなりすまし等の不正使用を見破るのは困難である。
【００３１】
本発明は、このような実情に鑑みてなされたものであり、個人を直接的に且つ容易に識別することが可能な可視情報を組み込んだ認証用媒体を介して、高い確度で容易に本人を識別することができ、さらに、安価な費用で、簡易的な認証であれば認証のための専用の装置等を必要とせず、場所を問わず認証作業を行うことができ、認証作業の煩雑さが少なく、本人認証対象者である個人への圧迫感が少ないといった要求をも満足することができる認証システム及び認証方法を提供することを目的とする。また、本発明は、これらの認証システム及び認証方法に用いられる認証用媒体を製造する認証用媒体製造装置及びこの認証用媒体製造装置によって製造された認証用媒体を用いて認証を行う認証端末装置を提供することを目的とする。
【００３２】
【課題を解決するための手段】
上述した目的を達成する本発明にかかる認証システムは、個人の識別を行って当該個人が正当な本人であることを認証する認証システムであって、個人を直接的に識別する可視情報を２次元写真として印刷する２次元写真印刷手段と、可視情報を、ホログラム又はホログラフィックステレオグラムとして印刷可能なデータに変換するデータ変換処理手段と、このデータ変換処理手段によって変換されて得られたデータに基づいて、ホログラム又はホログラフィックステレオグラムを作製するホログラム又はホログラフィックステレオグラム作製手段と、可視情報を蓄積する情報蓄積手段と、所定の記録部材に対して、情報蓄積手段に接続して蓄積された可視情報を読み出すための接続情報を電磁的に記録し、上記データ変換処理手段によって上記ホログラム又は上記ホログラフィックステレオグラムとして印刷可能なデータとして変換されて生成された３次元画像データから一部又は全部の画像データを取り出し、上記可視情報として上記記録部材に記録する情報記録手段と、少なくとも、情報記録手段によって接続情報が記録された記録部材と、２次元写真印刷手段によって印刷されて得られた２次元写真と、ホログラム又はホログラフィックステレオグラム作製手段によって作製されて得られたホログラム又はホログラフィックステレオグラムとを一体化し、２次元写真及びホログラム又はホログラフィックステレオグラムが視認可能な状態とされる認証用媒体を製造する認証用媒体製造手段と、情報記録手段によって記録部材に記録された接続情報に基づいて情報蓄積手段に接続し、情報蓄積手段に蓄積されている情報の中から、接続情報に対応する可視情報を受信して提示する提示手段とを備えることを特徴としている。
【００３３】
このような本発明にかかる認証システムは、接続情報が記録された記録部材と、可視情報の２次元写真と、可視情報に基づくホログラム又はホログラフィックステレオグラムとを認証用媒体製造手段によって一体化し、２次元写真及びホログラム又はホログラフィックステレオグラムが視認可能な状態とされる認証用媒体を製造し、この認証用媒体を所持する本人認証対象者たる個人を認証する際に、提示手段によって記録部材に記録された接続情報に基づいて情報蓄積手段に接続し、情報蓄積手段に蓄積されている情報の中から、接続情報に対応する可視情報を受信して本人認証判定者に対して提示する。
【００３４】
また、上述した目的を達成する本発明にかかる認証方法は、個人の識別を行って当該個人が正当な本人であることを認証する認証方法であって、個人を直接的に識別する可視情報を２次元写真として印刷する２次元写真印刷工程と、可視情報を、ホログラム又はホログラフィックステレオグラムとして印刷可能なデータに変換するデータ変換処理工程と、このデータ変換処理工程にて変換されて得られたデータに基づいて、ホログラム又はホログラフィックステレオグラムを作製するホログラム又はホログラフィックステレオグラム作製工程と、可視情報を情報蓄積手段に蓄積する情報蓄積工程と、所定の記録部材に対して、情報蓄積手段に接続して蓄積された可視情報を読み出すための接続情報を電磁的に記録し、上記データ変換処理工程で上記ホログラム又は上記ホログラフィックステレオグラムとして印刷可能なデータとして変換されて生成された３次元画像データから一部又は全部の画像データを取り出し、上記可視情報として上記記録部材に記録する情報記録工程と、少なくとも、情報記録工程にて接続情報が記録された記録部材と、２次元写真印刷工程にて印刷されて得られた２次元写真と、ホログラム又はホログラフィックステレオグラム作製工程にて作製されて得られたホログラム又はホログラフィックステレオグラムとを一体化し、２次元写真及びホログラム又はホログラフィックステレオグラムが視認可能な状態とされる認証用媒体を製造する認証用媒体製造工程と、情報記録工程にて記録部材に記録された接続情報に基づいて情報蓄積手段に接続し、情報蓄積手段に蓄積されている情報の中から、接続情報に対応する可視情報を受信して提示する提示工程とを備えることを特徴としている。
【００３５】
このような本発明にかかる認証方法は、接続情報が記録された記録部材と、可視情報の２次元写真と、可視情報に基づくホログラム又はホログラフィックステレオグラムとを一体化し、２次元写真及びホログラム又はホログラフィックステレオグラムが視認可能な状態とされる認証用媒体を製造し、この認証用媒体を所持する本人認証対象者たる個人を認証する際に、記録部材に記録された接続情報に基づいて情報蓄積手段に接続し、情報蓄積手段に蓄積されている情報の中から、接続情報に対応する可視情報を受信して本人認証判定者に対して提示する。
【００３６】
さらに、上述した目的を達成する本発明にかかる認証システムは、個人の識別を行って当該個人が正当な本人であることを認証する認証システムであって、個人を直接的に識別する可視情報を２次元写真として印刷する２次元写真印刷手段と、可視情報を、ホログラム又はホログラフィックステレオグラムとして印刷可能なデータに変換するデータ変換処理手段と、このデータ変換処理手段によって変換されて得られたデータに基づいて、ホログラム又はホログラフィックステレオグラムを作製するホログラム又はホログラフィックステレオグラム作製手段と、所定の記録部材に対して、可視情報を電磁的に記録し，上記データ変換処理手段によって上記ホログラム又は上記ホログラフィックステレオグラムとして印刷可能なデータとして変換されて生成された３次元画像データから一部又は全部の画像データを取り出し、上記可視情報として上記記録部材に記録する情報記録手段と、少なくとも、情報記録手段によって可視情報が記録された記録部材と、２次元写真印刷手段によって印刷されて得られた２次元写真と、ホログラム又はホログラフィックステレオグラム作製手段によって作製されて得られたホログラム又はホログラフィックステレオグラムとを一体化し、２次元写真及びホログラム又はホログラフィックステレオグラムが視認可能な状態とされる認証用媒体を製造する認証用媒体製造手段と、情報記録手段によって記録部材に記録された可視情報を読み出して提示する提示手段とを備えることを特徴としている。
【００３７】
このような本発明にかかる認証システムは、可視情報が記録された記録部材と、可視情報の２次元写真と、可視情報に基づくホログラム又はホログラフィックステレオグラムとを認証用媒体製造手段によって一体化し、２次元写真及びホログラム又はホログラフィックステレオグラムが視認可能な状態とされる認証用媒体を製造し、この認証用媒体を所持する本人認証対象者たる個人を認証する際に、提示手段によって記録部材に記録された可視情報を読み出して本人認証判定者に対して提示する。
【００３８】
さらにまた、上述した目的を達成する本発明にかかる認証方法は、個人の識別を行って当該個人が正当な本人であることを認証する認証方法であって、個人を直接的に識別する可視情報を２次元写真として印刷する２次元写真印刷工程と、可視情報を、ホログラム又はホログラフィックステレオグラムとして印刷可能なデータに変換するデータ変換処理工程と、このデータ変換処理工程にて変換されて得られたデータに基づいて、ホログラム又はホログラフィックステレオグラムを作製するホログラム又はホログラフィックステレオグラム作製工程と、所定の記録部材に対して、可視情報を電磁的にし，上記データ変換処理手段によって上記ホログラム又は上記ホログラフィックステレオグラムとして印刷可能なデータとして変換されて生成された３次元画像データから一部又は全部の画像データを取り出し、上記可視情報として上記記録部材に記録する情報記録工程と、少なくとも、情報記録工程にて可視情報が記録された記録部材と、２次元写真印刷工程にて印刷されて得られた２次元写真と、ホログラム又はホログラフィックステレオグラム作製工程にて作製されて得られたホログラム又はホログラフィックステレオグラムとを一体化し、２次元写真及びホログラム又はホログラフィックステレオグラムが視認可能な状態とされる認証用媒体を製造する認証用媒体製造工程と、情報記録工程にて記録部材に記録された可視情報を読み出して提示する提示工程とを備えることを特徴としている。
【００３９】
このような本発明にかかる認証方法は、可視情報が記録された記録部材と、可視情報の２次元写真と、可視情報に基づくホログラム又はホログラフィックステレオグラムとを一体化し、２次元写真及びホログラム又はホログラフィックステレオグラムが視認可能な状態とされる認証用媒体を製造し、この認証用媒体を所持する本人認証対象者たる個人を認証する際に、記録部材に記録された可視情報を読み出して本人認証判定者に対して提示する。
【００４０】
また、上述した目的を達成する本発明にかかる認証用媒体製造装置は、個人の識別を行って当該個人が正当な本人であることを認証する認証システムに用いられる認証用媒体を製造する認証用媒体製造装置であって、個人を直接的に識別する可視情報を２次元写真として印刷する２次元写真印刷手段と、可視情報を、ホログラム又はホログラフィックステレオグラムとして印刷可能なデータに変換するデータ変換処理手段と、このデータ変換処理手段によって変換されて得られたデータに基づいて、ホログラム又はホログラフィックステレオグラムを作製するホログラム又はホログラフィックステレオグラム作製手段と、可視情報を蓄積する情報蓄積手段と、所定の記録部材に対して、情報蓄積手段に接続して蓄積された可視情報を読み出すための接続情報を電磁的に記録し，上記データ変換処理手段によって上記ホログラム又は上記ホログラフィックステレオグラムとして印刷可能なデータとして変換されて生成された３次元画像データから一部又は全部の画像データを取り出し、上記可視情報として上記記録部材に記録する情報記録手段と、少なくとも、情報記録手段によって接続情報が記録された記録部材と、２次元写真印刷手段によって印刷されて得られた２次元写真と、ホログラム又はホログラフィックステレオグラム作製手段によって作製されて得られたホログラム又はホログラフィックステレオグラムとを一体化し、２次元写真及びホログラム又はホログラフィックステレオグラムが視認可能な状態とされる認証用媒体を製造する認証用媒体製造手段とを備えることを特徴としている。
【００４１】
このような本発明にかかる認証用媒体製造装置は、接続情報が記録された記録部材と、可視情報の２次元写真と、可視情報に基づくホログラム又はホログラフィックステレオグラムとを認証用媒体製造手段によって一体化し、２次元写真及びホログラム又はホログラフィックステレオグラムが視認可能な状態とされる認証用媒体を製造する。
【００４２】
さらに、上述した目的を達成する本発明にかかる認証端末装置は、個人を直接的に識別する可視情報を２次元写真として印刷する２次元写真印刷手段と、可視情報を、ホログラム又はホログラフィックステレオグラムとして印刷可能なデータに変換するデータ変換処理手段と、このデータ変換処理手段によって変換されて得られたデータに基づいて、ホログラム又はホログラフィックステレオグラムを作製するホログラム又はホログラフィックステレオグラム作製手段と、可視情報を蓄積する情報蓄積手段と、所定の記録部材に対して、情報蓄積手段に接続して蓄積された可視情報を読み出すための接続情報を電磁的に記録し，上記データ変換処理手段によって上記ホログラム又は上記ホログラフィックステレオグラムとして印刷可能なデータとして変換されて生成された３次元画像データから一部又は全部の画像データを取り出し、上記可視情報として上記記録部材に記録する情報記録手段と、少なくとも、情報記録手段によって接続情報が記録された記録部材と、２次元写真印刷手段によって印刷されて得られた２次元写真と、ホログラム又はホログラフィックステレオグラム作製手段によって作製されて得られたホログラム又はホログラフィックステレオグラムとを一体化し、２次元写真及びホログラム又はホログラフィックステレオグラムが視認可能な状態とされる認証用媒体を製造する認証用媒体製造手段とを備える認証用媒体製造装置によって製造された認証用媒体を用いて、個人の識別を行って当該個人が正当な本人であることを認証する認証端末装置であって、情報記録手段によって記録部材に記録された接続情報を読み出す情報読み出し手段と、この情報読み出し手段によって記録部材から読み出した接続情報に基づいて情報蓄積手段に接続し、情報蓄積手段に蓄積されている情報の中から、接続情報に対応する可視情報を受信して提示する提示手段とを備えることを特徴としている。
【００４３】
このような本発明にかかる認証端末装置は、接続情報が記録された記録部材と、可視情報の２次元写真と、可視情報に基づくホログラム又はホログラフィックステレオグラムとが一体化され、２次元写真及びホログラム又はホログラフィックステレオグラムが視認可能な状態とされる認証用媒体を所持する本人認証対象者たる個人を認証する際に、提示手段によって記録部材に記録された接続情報に基づいて情報蓄積手段に接続し、情報蓄積手段に蓄積されている情報の中から、接続情報に対応する可視情報を受信して本人認証判定者に対して提示する。
【００４４】
さらにまた、上述した目的を達成する本発明にかかる認証用媒体製造装置は、個人の識別を行って当該個人が正当な本人であることを認証する認証システムに用いられる認証用媒体を製造する認証用媒体製造装置であって、個人を直接的に識別する可視情報を２次元写真として印刷する２次元写真印刷手段と、可視情報を、ホログラム又はホログラフィックステレオグラムとして印刷可能なデータに変換するデータ変換処理手段と、このデータ変換処理手段によって変換されて得られたデータに基づいて、ホログラム又はホログラフィックステレオグラムを作製するホログラム又はホログラフィックステレオグラム作製手段と、所定の記録部材に対して、可視情報を電磁的に記録し，上記データ変換処理手段によって上記ホログラム又は上記ホログラフィックステレオグラムとして印刷可能なデータとして変換されて生成された３次元画像データから一部又は全部の画像データを取り出し、上記可視情報として上記記録部材に記録する情報記録手段と、少なくとも、情報記録手段によって可視情報が記録された記録部材と、２次元写真印刷手段によって印刷されて得られた２次元写真と、ホログラム又はホログラフィックステレオグラム作製手段によって作製されて得られたホログラム又はホログラフィックステレオグラムとを一体化し、２次元写真及びホログラム又はホログラフィックステレオグラムが視認可能な状態とされる認証用媒体を製造する認証用媒体製造手段とを備えることを特徴としている。
【００４５】
このような本発明にかかる認証用媒体製造装置は、可視情報が記録された記録部材と、可視情報の２次元写真と、可視情報に基づくホログラム又はホログラフィックステレオグラムとを認証用媒体製造手段によって一体化し、２次元写真及びホログラム又はホログラフィックステレオグラムが視認可能な状態とされる認証用媒体を製造する。
【００４６】
また、上述した目的を達成する本発明にかかる認証端末装置は、個人を直接的に識別する可視情報を２次元写真として印刷する２次元写真印刷手段と、可視情報を、ホログラム又はホログラフィックステレオグラムとして印刷可能なデータに変換するデータ変換処理手段と、このデータ変換処理手段によって変換されて得られたデータに基づいて、ホログラム又はホログラフィックステレオグラムを作製するホログラム又はホログラフィックステレオグラム作製手段と、所定の記録部材に対して、可視情報を電磁的に記録し，上記データ変換処理手段によって上記ホログラム又は上記ホログラフィックステレオグラムとして印刷可能なデータとして変換されて生成された３次元画像データから一部又は全部の画像データを取り出し、上記可視情報として上記記録部材に記録する情報記録手段と、少なくとも、情報記録手段によって可視情報が記録された記録部材と、２次元写真印刷手段によって印刷されて得られた２次元写真と、ホログラム又はホログラフィックステレオグラム作製手段によって作製されて得られたホログラム又はホログラフィックステレオグラムとを一体化し、２次元写真及びホログラム又はホログラフィックステレオグラムが視認可能な状態とされる認証用媒体を製造する認証用媒体製造手段とを備える認証用媒体製造装置によって製造された認証用媒体を用いて、個人の識別を行って当該個人が正当な本人であることを認証する認証端末装置であって、情報記録手段によって記録部材に記録された可視情報を読み出す情報読み出し手段と、この情報読み出し手段によって記録部材から読み出した可視情報を提示する提示手段とを備えることを特徴としている。
【００４７】
このような本発明にかかる認証端末装置は、可視情報が記録された記録部材と、可視情報の２次元写真と、可視情報に基づくホログラム又はホログラフィックステレオグラムとが一体化され、２次元写真及びホログラム又はホログラフィックステレオグラムが視認可能な状態とされる認証用媒体を所持する本人認証対象者たる個人を認証する際に、提示手段によって記録部材に記録された可視情報を読み出して本人認証判定者に対して提示する。
【００４８】
【発明の実施の形態】
以下、本発明を適用した具体的な実施の形態について図面を参照しながら詳細に説明する。
【００４９】
この実施の形態は、個人の識別を行って当該個人が正当な本人であることを認証する認証システムである。この認証システムは、個人を識別するための可視情報として、単なる数字、文字、記号といった情報要素ではなく、当該個人を直接的に識別するための可視情報を利用するものである。認証システムは、この可視情報として、少なくとも当該個人の顔画像等の当該個人を被写体とした容姿画像やサイン文字等を利用することができる。そして、この認証システムは、少なくとも、この可視情報を２次元写真として印刷したものと、可視情報をホログラム又はホログラフィックステレオグラムとして作製して印刷したものとを一体化して２次元写真及びホログラム又はホログラフィックステレオグラムが視認可能な状態とされるカード状の認証用媒体（以下、認証カードという。）を製造し、この認証カードを介して、当該個人が本人であるか否かの認証を行うものである。また、この認証システムは、可視情報を所定のサーバに蓄積しておき、認証側が、提示された認証カードに基づいて対応する可視情報をサーバから読み出すことによって当該個人が本人であるか否かの認証を行うものである。さらに、この認証システムは、認証カードにＩＣ（Integrated Circuit）チップを組み込むことによって当該認証カードをＩＣカードとして構成し、所定の情報をＩＣチップに記録しておくものである。認証システムは、これらの各種技術を複合することにより、耐偽造性に優れた認証カードを製造し、本人認証に関して複数のチェック機構を設けたものである。
【００５０】
なお、以下では、説明の便宜上、個人を直接的に識別するための可視情報として、当該個人の容姿を示す容姿画像を用いるものとして説明を行う。また、以下では、説明の便宜上、２次元写真とともに認証カードに組み込まれる対象がホログラフィックステレオグラムであるものとして説明を行う。
【００５１】
まず、認証システムに用いられる認証カードを製造して発行するまでの概念について説明する。
【００５２】
認証システムは、図１に示すように、本人認証対象者である個人Ｐを被写体として撮影して顔画像等の容姿画像データＬＩを作成する容姿画像作成手段である撮影部１０と、この撮影部１０によって撮影されて作成された容姿画像データＬＩに基づいてホログラフィックステレオグラムＨＬを作製するホログラフィックステレオグラム作製手段であるホログラフィックステレオグラム作製部２０と、容姿画像データＬＩを２次元写真ＰＩＣとして印刷する２次元写真印刷手段である２次元写真印刷部３０と、少なくとも容姿画像データＬＩを含む各種情報を蓄積する情報蓄積手段である画像サーバ４０と、この画像サーバ４０に接続して蓄積された容姿画像データＬＩを読み出すための接続情報を記録部材ＲＭに記録する情報記録手段である情報記録部５０と、記録部材ＲＭと２次元写真ＰＩＣとホログラフィックステレオグラムＨＬとを一体化して認証カードＣＣを製造する認証用媒体製造手段である製造部６０とを備える。
【００５３】
なお、認証システムにおいては、これらの各部は、それぞれ、独立した装置であってもよく、１つの装置であってもよい。いずれにせよ、これらの各部は、認証用媒体製造装置としての認証カード製造装置を構成するものである。
【００５４】
撮影部１０は、個人Ｐの識別を必要とする所定のサービスを享受するための資格を与えたり所定の手続きを行うための登録を受け付けたりする所定の機関等の管理下に設けられるものであり、本人認証対象者である個人Ｐを被写体として撮影し、顔画像等の容姿画像データＬＩを作成する。この撮影部１０は、例えば、ディジタルスチルカメラやカメラ付きビデオレコーダによる撮影や、銀塩写真カメラによって撮影したフィルムをスキャナによって読み取ること等により、容姿画像データＬＩを作成する。この撮影部１０によって撮影されて作成された容姿画像データＬＩは、ホログラフィックステレオグラム作製部２０、２次元写真印刷部３０、及び画像サーバ４０に供給される。
【００５５】
ホログラフィックステレオグラム作製部２０は、撮影部１０によって作成された容姿画像データＬＩを、ホログラフィックステレオグラムとして印刷可能なデータに変換する。このとき、ホログラフィックステレオグラム作製部２０は、必要に応じて、容姿画像データＬＩに前景及び／又は背景となる所定の画像データを合成し、視差方向に情報が変化する３次元画像データに変換する処理を行う。例えば、ホログラフィックステレオグラム作製部２０は、容姿画像データＬＩ中のオブジェクトである個人Ｐを表す人物の背景として所定の商標等の図案を合成し、図２（Ａ）に示す観察方向からホログラフィックステレオグラムＨＬを観察すると、同図（Ｂ）に示す再生像が観察される一方、同図（Ｃ）に示す観察方向からホログラフィックステレオグラムＨＬを観察すると、同図（Ｄ）に示すように、同図（Ｂ）に示した再生像に比べて背景の図案の位置がずれた再生像が観察されるといった、観察方向によって人物と背景との重複具合が変化するような３次元画像データを生成する。また、ホログラフィックステレオグラム作製部２０は、これとは逆に、容姿画像データＬＩ中のオブジェクトである個人Ｐを表す人物の前景として登録番号やシリアル番号等の所定の数字列、文字列、及び／又は記号列を立体化した図案を合成し、観察方向によって人物と前景との重複具合が変化するような３次元画像データを生成することもできる。さらに、ホログラフィックステレオグラム作製部２０は、容姿画像データＬＩ中のオブジェクトである個人Ｐを表す人物の前景及び背景の両者として、これらの図案を合成してもよい。ホログラフィックステレオグラム作製部２０は、このようにして変換されて得られた３次元画像データに基づいて、レーザ光等の単色光のみならず白色光再生が可能であり階調表現が可能であるパーソナライズされた印刷物としてのホログラフィックステレオグラムＨＬを作製する。
【００５６】
なお、このようなホログラフィックステレオグラムＨＬを作製する技術としては、例えば、
○「Akira Shirakura, Nobuhiro Kihara and Shigeyuki Baba, "Instant holographic portrait printing system", Proceeding of SPIE, Vol. 3293, pp. 246-253, Jan. 1998」
○「木原、白倉、馬場："高速ホログラムポートレイトプリントシステム"、３次元画像コンファレンス１９９８、１９９８年７月」
に記載されているように、横方向のみの視差を表現可能とする印刷物を作製するシステムの他、
○「山口、本田、大山："リップマンホログラフィックステレオグラムを用いたホログラフィック３Ｄプリンタ"、第２０回画像工学コンファレンス、１９８９年１２月」
○「遠藤、山口、本田、大山："ホログラフィック・３−Ｄプリンタの高密度記録"、第２３回画像工学コンファレンス、１９９２年１２月」
に記載されているように、縦横両方向の視差を表現可能とする印刷物を作製するシステムが挙げられ、ホログラフィックステレオグラム作製部２０としては、これらの技術のように、一方向又は縦横両方向の視差を表現可能とするホログラフィックステレオグラムを作製する技術を用いることができる。
【００５７】
具体的には、ホログラフィックステレオグラム作製部２０としては、以下のような構成によって実現することができる。なお、ここでは、ホログラフィックステレオグラム作製部２０は、短冊状の複数の要素ホログラムを１つのホログラム用記録媒体に露光記録することにより、横方向の視差情報を有するホログラフィックステレオグラムＨＬを作製するものとして説明するが、ホログラフィックステレオグラム作製部２０としては、ドット状の複数の要素ホログラムを１つのホログラム用記録媒体に露光記録することにより、横方向及び縦方向の視差情報を有するホログラフィックステレオグラムＨＬを作製するものであってもよいことはいうまでもない。
【００５８】
ホログラフィックステレオグラム作製部２０は、感光フィルムからなるホログラム用記録媒体１０３に対してホログラフィックステレオグラム画像を露光記録するものである。ホログラフィックステレオグラム作製部２０は、図３に示すように、露光記録対象の画像データの処理を行う画像データ処理部１１１と、当該ホログラフィックステレオグラム作製部２０を統括的に制御する制御用コンピュータ１１２と、ホログラフィックステレオグラム作製用の光学系からなる印刷部１１３とを備える。
【００５９】
画像データ処理部１１１は、少なくとも画像処理用コンピュータ１１４及び記憶装置１１５を有し、例えば多眼式カメラや移動式カメラ等を有する視差画像列撮像装置１０１から供給される視差情報を含む撮像画像データＤ１や、画像データ生成用コンピュータ１０２によって生成された視差情報を含むコンピュータ画像データＤ２等の画像データに基づいて、視差画像データ列Ｄ３を生成する。
【００６０】
なお、撮像画像データＤ１は、例えば多眼式カメラによる同時撮影又は移動式カメラによる連続撮影によって得られた複数の画像データであり、撮像画像データＤ１を構成する各画像データ間には視差情報が含まれる。また、コンピュータ画像データＤ２は、例えばＣＡＤ（Computer Aided Design）やＣＧ（Computer Graphics）として作成された複数の画像データであり、コンピュータ画像データＤ２を構成する各画像データ間には視差情報が含まれる。
【００６１】
画像データ処理部１１１は、これらの撮像画像データＤ１及び／又はコンピュータ画像データＤ２に基づく視差画像データ列Ｄ３に対して、画像処理用コンピュータ１１４によってホログラフィックステレオグラム用の所定の画像処理を施してホログラム画像データＤ４を生成する。ホログラム画像データＤ４は、例えばメモリやハードディスク装置等の記憶装置１１５に一時的に格納される。画像データ処理部１１１は、後述するように、ホログラム用記録媒体１０３に要素ホログラム画像を露光記録する際に、記憶装置１１５に格納されたホログラム画像データＤ４から１画像分毎の要素ホログラム画像データＤ５を順次読み出し、これらの要素ホログラム画像データＤ５を、制御用コンピュータ１１２に供給する。
【００６２】
制御用コンピュータ１１２は、印刷部１１３を制御して、画像データ処理部１１１から供給された要素ホログラム画像データＤ５に基づく要素表示画像を、印刷部１１３の一部に設けられたホログラム用記録媒体１０３に短冊状の要素ホログラムとして順次露光記録させる。この際、制御用コンピュータ１１２は、後述するように、印刷部１１３の各機構の動作を制御する。
【００６３】
印刷部１１３は、光学系を構成する各部材が図示しない支持基板（光学定盤）に配設支持されるとともに、この支持基板を図示しないダンパ等を介して装置筐体に支持されて構成される。印刷部１１３は、ホログラフィックステレオグラム作製用の光学系として、入射光学系、物体光学系及び参照光学系を有する。なお、ホログラフィックステレオグラム作製部２０は、感光材であるホログラム用記録媒体１０３を用いることから、装置筐体は、少なくとも光学系の遮光性を保持した構造となっている。
【００６４】
印刷部１１３は、図４（Ａ）に示すように、入射光学系として、所定の波長のレーザ光を出射するレーザ光源１２１と、このレーザ光源１２１からのレーザ光Ｌ１の光軸上に配されてレーザ光Ｌ１を後段へ入射させる又は遮断するシャッタ機構１２２と、レーザ光Ｌ１を物体光Ｌ２と参照光Ｌ３とに分割するハーフミラー１２３とを有する。
【００６５】
レーザ光源１２１は、例えば単一波長で且つ干渉性のよいレーザ光Ｌ１を出射する半導体励起ＹＡＧレーザ装置、水冷アルゴンイオンレーザ装置又は水冷クリプトンレーザ装置等のレーザ装置から構成される。
【００６６】
シャッタ機構１２２は、要素ホログラム画像データＤ５の出力タイミングに対応して制御用コンピュータ１１２から出力された制御信号Ｃ１によって開閉動作され、レーザ光Ｌ１を後段の光学系へと入射させる、又は、レーザ光Ｌ１の後段の光学系への入射を遮断する。
【００６７】
ハーフミラー１２３は、入射されたレーザ光Ｌ１を透過光と反射光とに分割する。レーザ光Ｌ１は、透過光が上述した物体光Ｌ２として用いられる一方、反射光が参照光Ｌ３として用いられる。これらの物体光Ｌ２と参照光Ｌ３とは、それぞれ、後段に設けられた物体光学系又は参照光学系に入射される。
【００６８】
なお、入射光学系には、図示しないが、レーザ光Ｌ１の進行方向を適宜変化させ、物体光Ｌ２と参照光Ｌ３との光路長を同一にすること等を目的としてミラー等を設けてもよい。また、シャッタ機構１２２は、例えば、シャッタ片を機械的に駆動するように構成したものや、音響光学変調器（Acousto-Optic Modulation；ＡＯＭ）を用いた電子シャッタによって構成したものであってもよい。すなわち、シャッタ機構１２２は、レーザ光Ｌ１を遮蔽及び透過可能とする開閉自在なものであればよい。
【００６９】
また、印刷部１１３は、図４（Ａ）及び図４（Ｂ）に示すように、物体光学系として、ミラー１２４、スペーシャルフィルタ１２５、コリメータレンズ１２６、投影レンズ１２７、シリンドリカルレンズ１２８及びマスク１２９等の光学部品を有し、これらの各光学部品を光軸に沿ってその入力側から順次配列させている。
【００７０】
ミラー１２４は、ハーフミラー１２３を透過した物体光Ｌ２を反射する。このミラー１２４によって反射された物体光Ｌ２は、スペーシャルフィルタ１２５へと入射される。
【００７１】
スペーシャルフィルタ１２５は、例えば凸レンズとピンホールとを組み合わせて構成されており、ミラー１２４によって反射された物体光Ｌ２を後述する透過型液晶表示器１３０の表示面幅に対応して等方的に拡大させる。
【００７２】
コリメータレンズ１２６は、スペーシャルフィルタ１２５によって拡大された物体光Ｌ２を、平行光化して透過型液晶表示器１３０へと導光する。
【００７３】
投影レンズ１２７は、物体光Ｌ２を若干拡散させ、シリンドリカルレンズ１２８へと投影する。この投影レンズ１２７は、物体光Ｌ２を若干拡散させることにより、作製されるホログラフィックステレオグラムＨＬの画質の向上に寄与するものである。
【００７４】
シリンドリカルレンズ１２８は、平行光化された物体光Ｌ２を横方向に対して集光する。
【００７５】
マスク１２９は、短冊状の開口部を有しており、シリンドリカルレンズ１２８によって集光された物体光Ｌ２のうち、開口部を通過したものを、ホログラム用記録媒体１０３へと入射させる。
【００７６】
また、物体光学系には、コリメータレンズ１２６と投影レンズ１２７との間に位置して透過型液晶表示器１３０が配設されている。透過型液晶表示器１３０には、制御用コンピュータ１１２から供給された要素ホログラム画像データＤ５に基づいて、要素ホログラム画像が順次表示される。なお、制御用コンピュータ１１２は、要素ホログラム画像データＤ５の出力タイミングに対応して、駆動信号Ｃ２を後述するホログラム用記録媒体１０３の記録媒体送り機構１３４に供給し、その動作制御を行うことにより、ホログラム用記録媒体１０３の送り動作を制御する。
【００７７】
このような物体光学系においては、入射光学系から分割されて入射される細いビーム状である物体光Ｌ２が、スペーシャルフィルタ１２５によって拡大されるとともに、コリメータレンズ１２６に入射することで平行光とされる。さらに、物体光学系においては、コリメータレンズ１２６を介して透過型液晶表示器１３０に入射された物体光Ｌ２が、この透過型液晶表示器１３０に表示された要素ホログラム画像に応じて画像変調されるとともに、投影レンズ１２７を介してシリンドリカルレンズ１２８へと入射される。そして、物体光学系は、シャッタ機構１２２が開放動作されている間、画像変調された物体光Ｌ２をマスク１２９の開口部を介してホログラム用記録媒体１０３に入射させ、要素ホログラム画像に対応してこれを露光記録する。
【００７８】
さらに、印刷部１１３は、参照光学系として、スペーシャルフィルタ１３１、コリメータレンズ１３２及びミラー１３３を有し、これらの各光学部品を光軸に沿ってその入力側から順次配列させている。
【００７９】
スペーシャルフィルタ１３１は、上述した物体光学系におけるスペーシャルフィルタ１２５とは異なり、例えばシリンドリカルレンズとスリットとが組み合わされて構成され、ハーフミラー１２３によって反射分割された参照光Ｌ３を所定幅、具体的には、透過型液晶表示器１３０の表示面幅に対応して１次元方向に拡大させる。
【００８０】
コリメータレンズ１３２は、スペーシャルフィルタ１３１によって拡大された参照光Ｌ３を平行光化する。
【００８１】
ミラー１３３は、参照光Ｌ３を反射させてホログラム用記録媒体１０３の後方へと導光して入射させる。
【００８２】
このような光学系を備える印刷部１１３は、ハーフミラー１２３によって分割された物体光Ｌ２が通過する光学系である物体光学系と、参照光Ｌ３が通過する光学系である参照光学系との光路長がほぼ同一に構成されている。したがって、印刷部１１３は、物体光Ｌ２と参照光Ｌ３との干渉性の向上が図られて、より鮮明な再生像が得られるホログラフィックステレオグラムＨＬを作製することができる。
【００８３】
さらに、ホログラフィックステレオグラム作製部２０は、ホログラム用記録媒体１０３を図４（Ｂ）中矢印ａで示す方向へと１要素ホログラム分だけ間欠送りする記録媒体送り機構１３４を備える。
【００８４】
記録媒体送り機構１３４は、制御用コンピュータ１１２から供給される駆動信号Ｃ２に基づいて、ホログラム用記録媒体１０３を間欠的に走行駆動する。また、ホログラフィックステレオグラム作製部２０は、この記録媒体送り機構１３４の動作に連動して制御用コンピュータ１１２から供給される制御信号Ｃ１に基づいて、上述したシャッタ機構１２２が動作されてレーザ光Ｌ１の光路を開放する。
【００８５】
このようなホログラフィックステレオグラム作製部２０は、１要素画像分の露光記録終了毎に制御用コンピュータ１１２から１要素ホログラムに対応した駆動信号Ｃ２が記録媒体送り機構１３４に対して供給されることにより、ホログラム用記録媒体１０３を１要素ホログラムに対応した量だけ走行路に沿って走行駆動させ、マスク１２９の開口部に未露光部位を対応させて停止させる。なお、ホログラフィックステレオグラム作製部２０は、ホログラム用記録媒体１０３の走行動作に伴って当該ホログラム用記録媒体１０３に生じた振動が速やかに停止されるように構成される。ここで、ホログラム用記録媒体１０３は、長尺状の感光フィルムからなり、図示しないが、例えば全体が遮光状態に保持されたフィルムカートリッジの内部に回転自在に設けられた供給ロールに巻回されている。ホログラム用記録媒体１０３は、このフィルムカートリッジがホログラフィックステレオグラム作製部２０に装填されると、ホログラフィックステレオグラム作製部２０の内部に繰り出され、記録媒体送り機構１３４によって走行路を走行駆動させられる。
【００８６】
ホログラフィックステレオグラム作製部２０は、この状態でシャッタ機構１２２が開放動作されてホログラム用記録媒体１０３に対してその表裏面から画像変調された物体光Ｌ２と参照光Ｌ３とをホログラム用記録媒体１０３に入射させ、要素ホログラム画像に対応した干渉縞を露光記録する。ホログラフィックステレオグラム作製部２０は、１要素画像の露光記録が終了すると制御用コンピュータ１１２から記録媒体送り機構１３４に対して駆動信号Ｃ２が供給され、ホログラム用記録媒体１０３を速やかに所定量だけ走行駆動させ停止させる。
【００８７】
さらに、ホログラフィックステレオグラム作製部２０は、図示しない定着処理部により、ホログラム用記録媒体１０３に対する紫外線の照射処理と、ホログラム用記録媒体１０３に対する所定温度での加熱処理とからなる定着処理を行い、ホログラム用記録媒体１０３に対して露光記録されたホログラフィックステレオグラム画像を定着させる。ホログラフィックステレオグラム作製部２０は、定着処理が施されたホログラム用記録媒体１０３を、ホログラフィックステレオグラム画像毎に所定の大きさに順次切り抜き、１枚のホログラフィックステレオグラムＨＬとして外部に排出する。
【００８８】
ホログラフィックステレオグラム作製部２０は、以下順次この動作を行うことにより、長尺状のホログラム用記録媒体１０３に対して、複数のホログラフィックステレオグラム画像を順次露光記録し、１枚のホログラフィックステレオグラム画像が露光記録されたホログラフィックステレオグラムＨＬを作製する。
【００８９】
このようなホログラフィックステレオグラム作製部２０によって作製されたホログラフィックステレオグラムＨＬは、製造部６０に供給される。
【００９０】
２次元写真印刷部３０は、撮影部１０によって作成された容姿画像データＬＩを、所定のプリンタ等を用いてパーソナライズされた２次元写真ＰＩＣとして印刷する。このとき、２次元写真印刷部３０は、必要に応じて、前処理として、容姿画像データＬＩに前景及び／又は背景となる所定の画像データを合成した２次元画像データに変換する処理を行う。また、２次元写真印刷部３０は、別の前処理として、ホログラフィックステレオグラム作製部２０によって生成した３次元画像データから一部の画像データを取り出し、これを２次元画像データに変換する処理を行うようにしてもよい。２次元写真印刷部３０は、このようにして変換されて得られた２次元画像データを、例えば昇華型やインクジェット方式等のプリンタによって印刷し、２次元写真ＰＩＣを作製する。この２次元写真印刷部３０によって印刷されて作製された２次元写真ＰＩＣは、製造部６０に供給される。
【００９１】
画像サーバ４０は、少なくとも撮影部１０によって作成された容姿画像データＬＩを含む各種情報を、対応する個人Ｐと対応付けて蓄積する。具体的には、画像サーバ４０は、容姿画像データＬＩの他に、必要に応じて、ホログラフィックステレオグラム作製部２０によって生成された３次元画像データ及び／又は２次元写真印刷部３０によって生成された２次元画像データに基づいた画像データを蓄積する。また、画像サーバ４０は、容姿画像データＬＩと個人Ｐとを対応付けるための後述する所定のデータベースを保持する。画像サーバ４０は、このデータベースに基づいて例えばインターネットやイントラネット等の所定の有線及び／又は無線通信回線を介して読み出し可能とするように、画像データを蓄積する。
【００９２】
ここで、認証システムにおいては、認証時にこの画像サーバ４０から通信回線を介して画像データを読み出すために、例えば電話番号やＵＲＬ（Uniform Resource Locator）等の画像サーバ４０を特定するための情報と画像サーバ４０に蓄積されている画像データを特定するための認証ＩＤ（IDentification）等からなる接続情報を予め定めておく。認証システムにおいては、この接続情報と接続手順とを把握している者であれば、いかなる者にも画像サーバ４０から画像データを読み出すことを可能としてもよい。また、認証システムにおいては、画像サーバ４０への接続時に、例えば、クライアント側の電話番号やＩＰ（Internet Protocol）アドレス、公開鍵若しくは秘密鍵といった鍵情報、又はパスワード等を用いて、画像サーバ４０とクライアント側との間で相互認証を行うことにより、特定のクライアント端末や特定の人物にのみ画像データを読み出すことを可能としてもよい。
【００９３】
情報記録部５０は、画像サーバ４０に蓄積された容姿画像データＬＩに対応する接続情報を所定の記録部材ＲＭに記録する。具体的には、情報記録部５０は、最終的に製造される認証カードＣＣの表面の一部領域を記録部材ＲＭとし、これにエンボスや印刷等によって可視的に接続情報を記録してもよく、また、バーコード、磁気ストライプ、又はＩＣチップといった所定の装置によって情報が読み取り可能とされる部材を記録部材ＲＭとし、これに電磁的に接続情報を記録する。なお、図１においては、情報記録部５０は、ＩＣチップを記録部材ＲＭとし、これに接続情報を記録するものとして示している。また、情報記録部５０は、接続情報を電磁的に記録する場合には、接続情報とともに後述する鍵情報や容姿画像データＬＩ等の画像データをも記録部材ＲＭに記録することもできる。
【００９４】
なお、認証カードＣＣとしては、記録部材ＲＭとしてＩＣチップを採用し、当該認証カードＣＣをＩＣカードとして構成する場合には、接触型であるか非接触型であるかを問わない。接触型のＩＣカードとしては、例えば、
○ＶＩＳＡ・インターナショナル社によって開発された電子マネーシステムである"ＶＩＳＡキャッシュ"
○モンデックス・インターナショナル社によって開発された電子マネーシステムである"モンデックス"
等が実用化又は実証実験の段階にある。一方、非接触型のＩＣカードとしては、例えば、
○東日本電信電話株式会社・西日本電信電話株式会社による公衆電話用の"ＩＣテレフォンカード"
○中華人民共和国の香港において交通機関で共通に使用可能なプリペイドカードである"オクトパス・カード（八達通）"
等が実用化又は実証実験の段階にある。また、このようなＩＣカードにおける偽造防止等の安全性については、情報処理振興事業協会（Information-technology Promotion Agency；ＩＰＡ）によって作成された"平成１１年度  スマートカードの安全性に関する調査  調査報告書"に記載されている。
【００９５】
情報記録部５０としては、これらの技術を踏まえたＩＣカードとして認証カードＣＣを製造すべく、記録部材ＲＭを作製することができる。このような情報記録部５０によって記録されて作製された記録部材ＲＭは、製造部６０に供給される。
【００９６】
製造部６０は、少なくとも、ホログラフィックステレオグラム作製部２０によって作製されて得られたホログラフィックステレオグラムＨＬと、２次元写真印刷部３０によって印刷されて得られた２次元写真ＰＩＣと、情報記録部５０によって作製されて得られた記録部材ＲＭとを一体化し、認証カードＣＣを製造する。具体的には、製造部６０は、例えば、ホットメルト、熱硬化又は光硬化といった所定の接着及び固着処理を行うことにより、ホログラフィックステレオグラムＨＬ、２次元写真ＰＩＣ、及び記録部材ＲＭを一体化する。このとき、製造部６０は、ホログラフィックステレオグラムＨＬ及び２次元写真ＰＩＣが外部から視認可能な状態に一体化する。
【００９７】
このような認証システムは、少なくとも、個人Ｐの容姿画像データＬＩに基づくホログラフィックステレオグラムＨＬ及び２次元写真ＰＩＣ、並びに画像サーバ４０に蓄積された容姿画像データＬＩを読み出すための接続情報が記録された記録部材ＲＭが一体化された認証カードＣＣを製造することができる。認証システムにおいては、個人Ｐがこのような認証カードＣＣを所持し、本人認証が求められる場で提示することにより、以下に示す認証作業が行われる。なお、認証カードＣＣの製造に関する具体例については、後に詳述するものとする。
【００９８】
つぎに、認証カードＣＣを用いた認証作業の概念について説明する。
【００９９】
認証システムにおいては、認証作業として、認証カードＣＣを用いた簡易的なもの、認証カードＣＣを用いたオンラインによる高確度なもの、認証カードＣＣを用いたオフラインによる高確度なもの、又は認証カードＣＣを用いたオンライン及びオフラインの両者による高確度なものが行われる。
【０１００】
まず、認証カードＣＣを用いた簡易的な認証作業の概念について説明する。
【０１０１】
認証システムにおいては、図５に示すように、認証カードＣＣを所持する本人認証対象者である個人Ｐが、認証作業を行う本人認証判定者ＪＤの求めに応じて認証カードＣＣを提示することによって認証作業が行われる。
【０１０２】
本人認証判定者ＪＤは、認証カードＣＣが提示されると、この認証カードＣＣを目視することにより、少なくとも以下の（Ａ１）乃至（Ａ４）のチェックを行う。
（Ａ１）認証カードＣＣを提示した本人認証対象者が認証カードＣＣにおける２次元写真ＰＩＣに映し出されている人物と同一人物であるか？
（Ａ２）認証カードＣＣを提示した本人認証対象者が認証カードＣＣにおけるホログラフィックステレオグラムＨＬの再生像が示す人物と同一人物であるか？
（Ａ３）認証カードＣＣにおける２次元写真ＰＩＣに映し出されている人物とホログラフィックステレオグラムＨＬの再生像が示す人物とが一致しているか？
（Ａ４）認証カードＣＣにおけるホログラフィックステレオグラムＨＬの再生像が示す前景及び／又は背景としてのロゴマーク等の可視部分の特徴を検証したとき、認証カードＣＣが真正なものであるか？
【０１０３】
なお、本人認証判定者ＪＤは、（Ａ２）乃至（Ａ４）のチェックを行う場合には、認証カードＣＣを複数の観察方向から視認することにより、ホログラフィックステレオグラムＨＬの再生像を変化させつつチェックを行う。
【０１０４】
このように、認証システムにおいては、本人認証判定者ＪＤによって１枚の認証カードＣＣを用いた簡易的ながらも複数のチェック機構を経ることにより、本人認証対象者である個人Ｐが正当な本人であるか否かを容易に認証することができる。すなわち、認証システムのユーザである本人認証判定者ＪＤは、認証カードＣＣを介して、高確度且つ容易に認証行為を行うことができる。また、認証システムのユーザである本人認証対象者たる個人Ｐについても、認証カードＣＣを介して、高確度且つ容易に認証行為が行われ、この認証行為の結果、正当な本人であることが証明された場合には、本人認証判定者ＪＤを介して所定のサービスを享受したり所定の手続きを行ったりすることが可能となる。
【０１０５】
つぎに、認証カードＣＣを用いたオンラインによる高確度な認証作業の概念について説明する。
【０１０６】
この認証システムは、容姿画像データＬＩ等の個人Ｐに対応する画像データが、画像サーバ４０に蓄積されている場合に、認証作業を行うものである。
【０１０７】
認証システムにおいては、図６に示すように、認証作業を行う本人認証判定者ＪＤが、提示された認証カードＣＣに基づいて画像サーバ４０に接続して容姿画像データＬＩ等の画像データ（以下、サーバ画像という。）を読み出し、このサーバ画像を表示等によって当該本人認証判定者ＪＤに対して提示する情報読み出し手段及び提示手段である認証端末装置７０を所持しており、認証カードＣＣを所持する本人認証対象者である個人Ｐが、本人認証判定者ＪＤの求めに応じて認証カードＣＣを提示することによって認証作業が行われる。
【０１０８】
本人認証判定者ＪＤは、認証カードＣＣが提示されると、この認証カードＣＣを目視することにより、上述したように、少なくとも以下の（Ａ１）乃至（Ａ４）のチェックを行う。
（Ａ１）認証カードＣＣを提示した本人認証対象者が認証カードＣＣにおける２次元写真ＰＩＣに映し出されている人物と同一人物であるか？
（Ａ２）認証カードＣＣを提示した本人認証対象者が認証カードＣＣにおけるホログラフィックステレオグラムＨＬの再生像が示す人物と同一人物であるか？
（Ａ３）認証カードＣＣにおける２次元写真ＰＩＣに映し出されている人物とホログラフィックステレオグラムＨＬの再生像が示す人物とが一致しているか？
（Ａ４）認証カードＣＣにおけるホログラフィックステレオグラムＨＬの再生像が示す前景及び／又は背景としてのロゴマーク等の可視部分の特徴を検証したとき、認証カードＣＣが真正なものであるか？
【０１０９】
さらに、本人認証判定者ＪＤは、認証カードＣＣにおける所定の記録部材ＲＭに記録されている接続情報に基づいて、画像サーバ４０から認証カードＣＣに対応するサーバ画像を読み出す。
【０１１０】
このとき、本人認証判定者ＪＤは、接続情報が、認証カードＣＣの表面の一部領域を記録部材ＲＭとしてエンボスや印刷等によって可視的に記録されている場合には、これを読み取り、画認証端末装置７０における携帯電話機や携帯情報端末機（Personal Digital Assistants；ＰＤＡ）等の提示手段であるクライアント端末７２に読み取った接続情報を入力する。なお、クライアント端末７２は、少なくとも画像データを表示する表示画面を有するものである。これに応じて、認証システムにおいては、クライアント端末７２から画像サーバ４０に対して所定の基地局ＢＳを介して画像要求コマンドが発行され、この画像要求コマンドに応じて、画像サーバ４０からクライアント端末７２に対して所定の基地局ＢＳを介して対応するサーバ画像が配信される。
【０１１１】
また、本人認証判定者ＪＤは、接続情報が、バーコード、磁気ストライプ、又はＩＣチップといった所定の装置によって情報が読み取り可能とされる記録部材ＲＭに電磁的に記録されている場合には、これを認証端末装置７０におけるクライアント端末７２に接続された情報読み出し手段であるカードリーダ７１を用いて読み取り、クライアント端末７２に読み取った接続情報を入力する。これに応じて、認証システムにおいては、クライアント端末７２から画像サーバ４０に対して所定の基地局ＢＳを介して画像要求コマンドが発行され、この画像要求コマンドに応じて、画像サーバ４０からクライアント端末７２に対して所定の基地局ＢＳを介して対応するサーバ画像が配信される。
【０１１２】
本人認証判定者ＪＤは、クライアント端末７２の表示画面にサーバ画像が表示されると、このサーバ画像と認証カードＣＣとを目視することにより、少なくとも以下の（Ｂ１）乃至（Ｂ３）のチェックを行う。
（Ｂ１）認証カードＣＣを提示した本人認証対象者がサーバ画像に映し出されている人物と同一人物であるか？
（Ｂ２）認証カードＣＣにおけるホログラフィックステレオグラムＨＬの再生像が示す人物とサーバ画像に映し出されている人物とが一致しているか？
（Ｂ３）サーバ画像に映し出されている人物と認証カードＣＣにおける２次元写真ＰＩＣに映し出されている人物とが一致しているか？
【０１１３】
なお、このとき、クライアント端末７２の表示画面には、表示されたサーバ画像に対応する人物の氏名等の各種情報をあわせて表示するようにしてもよい。
【０１１４】
認証システムにおいては、本人認証判定者ＪＤによって１枚の認証カードＣＣを用いたこのようなオンラインによる複数のチェック機構を経ることにより、本人認証対象者である個人Ｐが正当な本人であるか否かを高確度で容易に認証することができる。
【０１１５】
また、認証システムにおいては、接続情報が、バーコード、磁気ストライプ、又はＩＣチップといったカードリーダ７１によって情報が読み取り可能とされる記録部材ＲＭに電磁的に記録されている場合には、予め公開鍵や秘密鍵といった鍵情報を接続情報とともに記録部材ＲＭに記録しておくこともできる。この場合、認証システムにおいては、クライアント端末７２の内部で鍵情報の認証を行うか、又はクライアント端末７２から画像サーバ４０に対して接続情報とともに鍵情報を送信することによって鍵情報の認証を行う。すなわち、認証システムにおいては、以下の（Ｂ４）のチェックを行うことができる。
（Ｂ４）認証カードＣＣにおける記録部材ＲＭに記録されている鍵情報等の電磁的記録部分の特徴を検証したとき、認証カードＣＣが真正なものであるか？
【０１１６】
これにより、認証システムにおいては、認証カードＣＣ自体の認証を行うことにより、本人認証対象者である個人Ｐが正当な本人であるか否かをより高確度で容易に認証することができる。すなわち、認証システムのユーザである本人認証判定者ＪＤは、認証カードＣＣを介して、オンライン操作によって高確度且つ容易に認証行為を行うことができる。また、認証システムのユーザである本人認証対象者たる個人Ｐについても、認証カードＣＣを介して、高確度且つ容易に認証行為が行われ、この認証行為の結果、正当な本人であることが証明された場合には、本人認証判定者ＪＤを介して所定のサービスを享受したり所定の手続きを行ったりすることが可能となる。
【０１１７】
つぎに、認証カードＣＣを用いたオフラインによる高確度な認証作業の概念について説明する。
【０１１８】
この認証システムは、容姿画像データＬＩ等の個人Ｐに対応する画像データが記録部材ＲＭに記録されている場合に、認証作業を行うものである。特に、この手法は、認証カードＣＣをＩＣカードとして構成する場合に有効である。
【０１１９】
すなわち、ＩＣカードには、静止画像、いわゆるアニメーションＧＩＦ（Graphics Interchange Format）といったコマ送りの擬似動画像、通常の動画像を記録することができる。そこで、認証システムにおいては、上述した情報記録部５０によってＩＣチップ等の記録部材ＲＭに容姿画像データＬＩを所定の暗号化方式に基づいて暗号化して記録したり、記録部材ＲＭに記録された容姿画像データＬＩの書き込み及び／又は読み出しの際に所定の暗号化手法を用いたりすることにより、正当な権利者のみが容姿画像データＬＩの書き込み及び読み出しを行うことを可能とし、容姿画像データＬＩを記録部材ＲＭから読み出すことができるか否か、及び読み出された容姿画像データＬＩが正当なものであるか否かに基づいて、認証作業を行う。
【０１２０】
また、認証システムにおいては、ＩＣカードに、擬似動画像や動画像を記録することができることから、情報記録部５０によって容姿画像データＬＩ等の画像データをＩＣチップ等の記録部材ＲＭに記録する際に、ホログラフィックステレオグラム作製部２０によって生成した３次元画像データから一部又は全部の画像データを取り出し、ホログラフィックステレオグラムＨＬから再生される再生像としての視差によって画像が順次変化して観察される画像と同等の画像データを動画像として記録してもよい。
【０１２１】
認証システムにおいては、図７に示すように、認証作業を行う本人認証判定者ＪＤが、提示された認証カードＣＣにおける記録部材ＲＭに記録されている容姿画像データＬＩ等の画像データ（以下、カード内画像という。）を読み出し、このカード内画像を表示等によって当該本人認証判定者ＪＤに対して提示する認証端末装置７０を所持しており、認証カードＣＣを所持する本人認証対象者である個人Ｐが、本人認証判定者ＪＤの求めに応じて認証カードＣＣを提示することによって認証作業が行われる。
【０１２２】
本人認証判定者ＪＤは、認証カードＣＣが提示されると、この認証カードＣＣを目視することにより、上述したように、少なくとも以下の（Ａ１）乃至（Ａ４）のチェックを行う。
（Ａ１）認証カードＣＣを提示した本人認証対象者が認証カードＣＣにおける２次元写真ＰＩＣに映し出されている人物と同一人物であるか？
（Ａ２）認証カードＣＣを提示した本人認証対象者が認証カードＣＣにおけるホログラフィックステレオグラムＨＬの再生像が示す人物と同一人物であるか？
（Ａ３）認証カードＣＣにおける２次元写真ＰＩＣに映し出されている人物とホログラフィックステレオグラムＨＬの再生像が示す人物とが一致しているか？
（Ａ４）認証カードＣＣにおけるホログラフィックステレオグラムＨＬの再生像が示す前景及び／又は背景としてのロゴマーク等の可視部分の特徴を検証したとき、認証カードＣＣが真正なものであるか？
【０１２３】
さらに、本人認証判定者ＪＤは、認証カードＣＣにおける所定の記録部材ＲＭに記録されている容姿画像データＬＩ等のカード内画像を読み出す。
【０１２４】
このとき、本人認証判定者ＪＤは、カード内画像が、バーコード、磁気ストライプ、又はＩＣチップといった所定の装置によって情報が読み取り可能とされる記録部材ＲＭに電磁的に記録されている場合には、認証端末装置７０における携帯電話機や携帯情報端末機等のクライアント端末７２に接続されたカードリーダ７１によってカード内画像の読み取り指示をクライアント端末７２に対して行う。これに応じて、認証システムにおいては、クライアント端末７２によって認証カードＣＣからカード内画像が読み出される。
【０１２５】
本人認証判定者ＪＤは、クライアント端末７２の表示画面にカード内画像が表示されると、このカード内画像と認証カードＣＣとを目視することにより、少なくとも以下の（Ｃ１）乃至（Ｃ３）のチェックを行う。
（Ｃ１）認証カードＣＣを提示した本人認証対象者がカード内画像に映し出されている人物と同一人物であるか？
（Ｃ２）認証カードＣＣにおけるホログラフィックステレオグラムＨＬの再生像が示す人物とカード内画像に映し出されている人物とが一致しているか？
（Ｃ３）カード内画像に映し出されている人物と認証カードＣＣにおける２次元写真ＰＩＣに映し出されている人物とが一致しているか？
【０１２６】
なお、このとき、クライアント端末７２の表示画面には、表示されたカード内画像に対応する人物の氏名等の各種情報をあわせて表示するようにしてもよい。
【０１２７】
認証システムにおいては、本人認証判定者ＪＤによって１枚の認証カードＣＣを用いたこのようなオフラインによる複数のチェック機構を経ることにより、本人認証対象者である個人Ｐが正当な本人であるか否かを高確度で容易に認証することができる。
【０１２８】
また、認証システムにおいては、カード内画像が、バーコード、磁気ストライプ、又はＩＣチップといったカードリーダ７１によって情報が読み取り可能とされる記録部材ＲＭに電磁的に記録されている場合には、予め公開鍵や秘密鍵といった鍵情報を接続情報とともに記録部材ＲＭに記録しておくこともできる。この場合、認証システムにおいては、クライアント端末７２の内部で鍵情報の認証を行い、鍵情報の真偽又はカード内画像を正確に読み取ることができたか否かの判定を行う。すなわち、認証システムにおいては、上述した（Ｂ４）のチェックを行うことができる。
（Ｂ４）認証カードＣＣにおける記録部材ＲＭに記録されている鍵情報等の電磁的記録部分の特徴を検証したとき、認証カードＣＣが真正なものであるか？
【０１２９】
これにより、認証システムにおいては、認証カードＣＣ自体の認証を行うことにより、本人認証対象者である個人Ｐが正当な本人であるか否かをより高確度で容易に認証することができる。すなわち、認証システムのユーザである本人認証判定者ＪＤは、認証カードＣＣを介して、オフライン操作によって高確度且つ容易に認証行為を行うことができる。また、認証システムのユーザである本人認証対象者たる個人Ｐについても、認証カードＣＣを介して、高確度且つ容易に認証行為が行われ、この認証行為の結果、正当な本人であることが証明された場合には、本人認証判定者ＪＤを介して所定のサービスを享受したり所定の手続きを行ったりすることが可能となる。
【０１３０】
最後に、認証カードＣＣを用いたオンライン及びオフラインの両者による高確度な認証作業の概念について説明する。
【０１３１】
この認証システムは、容姿画像データＬＩ等の個人Ｐに対応する画像データが、画像サーバ４０に蓄積されており、且つ、容姿画像データＬＩ等の個人Ｐに対応する画像データが記録部材ＲＭに記録されている場合に、認証作業を行うものである。
【０１３２】
認証システムにおいては、図８に示すように、認証作業を行う本人認証判定者ＪＤが、提示された認証カードＣＣに基づいて画像サーバ４０に接続してサーバ画像を読み出し、このサーバ画像を表示等によって当該本人認証判定者ＪＤに対して提示するとともに、提示された認証カードＣＣにおける記録部材ＲＭに記録されているカード内画像を読み出し、このカード内画像を表示等によって当該本人認証判定者ＪＤに対して提示する認証端末装置７０を所持しており、認証カードＣＣを所持する本人認証対象者である個人Ｐが、本人認証判定者ＪＤの求めに応じて認証カードＣＣを提示することによって認証作業が行われる。
【０１３３】
本人認証判定者ＪＤは、認証カードＣＣが提示されると、この認証カードＣＣを目視することにより、上述したように、少なくとも以下の（Ａ１）乃至（Ａ４）のチェックを行う。
（Ａ１）認証カードＣＣを提示した本人認証対象者が認証カードＣＣにおける２次元写真ＰＩＣに映し出されている人物と同一人物であるか？
（Ａ２）認証カードＣＣを提示した本人認証対象者が認証カードＣＣにおけるホログラフィックステレオグラムＨＬの再生像が示す人物と同一人物であるか？
（Ａ３）認証カードＣＣにおける２次元写真ＰＩＣに映し出されている人物とホログラフィックステレオグラムＨＬの再生像が示す人物とが一致しているか？
（Ａ４）認証カードＣＣにおけるホログラフィックステレオグラムＨＬの再生像が示す前景及び／又は背景としてのロゴマーク等の可視部分の特徴を検証したとき、認証カードＣＣが真正なものであるか？
【０１３４】
さらに、本人認証判定者ＪＤは、認証カードＣＣにおける所定の記録部材ＲＭに記録されている接続情報に基づいて、上述したように、画像サーバ４０から認証カードＣＣに対応するサーバ画像を読み出す。
【０１３５】
本人認証判定者ＪＤは、クライアント端末７２の表示画面にサーバ画像が表示されると、このサーバ画像と認証カードＣＣとを目視することにより、上述したように、少なくとも以下の（Ｂ１）乃至（Ｂ３）のチェックを行う。
（Ｂ１）認証カードＣＣを提示した本人認証対象者がサーバ画像に映し出されている人物と同一人物であるか？
（Ｂ２）認証カードＣＣにおけるホログラフィックステレオグラムＨＬの再生像が示す人物とサーバ画像に映し出されている人物とが一致しているか？
（Ｂ３）サーバ画像に映し出されている人物と認証カードＣＣにおける２次元写真ＰＩＣに映し出されている人物とが一致しているか？
【０１３６】
なお、このとき、クライアント端末７２の表示画面には、表示されたサーバ画像に対応する人物の氏名等の各種情報をあわせて表示するようにしてもよい。
【０１３７】
さらに、本人認証判定者ＪＤは、上述したように、認証カードＣＣにおける所定の記録部材ＲＭに記録されているカード内画像を読み出す。
【０１３８】
本人認証判定者ＪＤは、クライアント端末７２の表示画面にカード内画像が表示されると、このカード内画像と認証カードＣＣとを目視することにより、上述したように、少なくとも以下の（Ｃ１）乃至（Ｃ３）のチェックを行う。
（Ｃ１）認証カードＣＣを提示した本人認証対象者がカード内画像に映し出されている人物と同一人物であるか？
（Ｃ２）認証カードＣＣにおけるホログラフィックステレオグラムＨＬの再生像が示す人物とカード内画像に映し出されている人物とが一致しているか？
（Ｃ３）カード内画像に映し出されている人物と認証カードＣＣにおける２次元写真ＰＩＣに映し出されている人物とが一致しているか？
【０１３９】
なお、このとき、クライアント端末７２の表示画面には、表示されたカード内画像に対応する人物の氏名等の各種情報をあわせて表示するようにしてもよい。
【０１４０】
また、認証システムにおいては、上述したように、以下の（Ｂ４）のチェックを行うことができる。
（Ｂ４）認証カードＣＣにおける記録部材ＲＭに記録されている鍵情報等の電磁的記録部分の特徴を検証したとき、認証カードＣＣが真正なものであるか？
【０１４１】
認証システムにおいては、本人認証判定者ＪＤによって１枚の認証カードＣＣを用いたこのようなオンライン及びオフラインの両者による複数のチェック機構を経ることにより、本人認証対象者である個人Ｐが正当な本人であるか否かを極めて高確度で容易に認証することができる。すなわち、認証システムのユーザである本人認証判定者ＪＤは、認証カードＣＣを介して、オンライン操作及びオフライン操作によって高確度且つ容易に認証行為を行うことができる。また、認証システムのユーザである本人認証対象者たる個人Ｐについても、認証カードＣＣを介して、高確度且つ容易に認証行為が行われ、この認証行為の結果、正当な本人であることが証明された場合には、本人認証判定者ＪＤを介して所定のサービスを享受したり所定の手続きを行ったりすることが可能となる。
【０１４２】
以上のように、認証システムにおいては、認証作業として、認証カードＣＣを用いた簡易的なもの、認証カードＣＣを用いたオンラインによる高確度なもの、認証カードＣＣを用いたオフラインによる高確度なもの、又は認証カードＣＣを用いたオンライン及びオフラインの両者による高確度なものを行うことができる。なお、これらの認証カードＣＣを用いた認証作業に関する具体例については、後に詳述するものとする。
【０１４３】
さて、以下では、以上のような概念からなる認証システムの具体例について説明する。
【０１４４】
まず、認証カードＣＣの製造に関する第１の具体例について説明する。
【０１４５】
この具体例は、ＩＳＯ（International Organization for Standardization）／ＩＥＣ（International Electrotechnical Commission）  ７８１６、又はＪＩＳ（Japan Industrial Standard）  Ｘ６３０３〜Ｘ６３０７に準拠した外部端子付きのＩＣカードである接触型ＩＣカードであり、且つ、磁気ストライプが設けられたカードとして、認証カードＣＣを製造するものである。
【０１４６】
まず、認証システムにおいては、図９に示すように、上述した撮影部１０によって本人認証対象者である個人Ｐを被写体として撮影し、顔画像等の容姿画像データＬＩを作成する。ここでは、ディジタルスチルカメラによる２次元画像データの撮影を行うものとする。
【０１４７】
また、認証システムにおいては、２次元画像データである容姿画像データＬＩに対して、上述したホログラフィックステレオグラム作製部２０における画像データ処理部１１１によって３次元画像データからなる前景及び背景としての画像データを合成し、得られたオブジェクトデータからなる３次元画像データから視差画像列へとレンダリングした３次元画像データに基づいて、印刷物としてのホログラフィックステレオグラムＨＬを作製する。
【０１４８】
さらに、認証システムにおいては、ホログラフィックステレオグラム作製部２０によって生成される３次元画像データを正面から観察した場合へとレンダリングして得られる２次元画像データを用いて、上述した２次元写真印刷部３０によって２次元写真ＰＩＣを作製する。
【０１４９】
そして、認証システムにおいては、図１０（Ａ）に正面図、同図（Ｂ）に側断面図、同図（Ｃ）に斜視図を示すように、認証カードＣＣのベース部材となる磁気カードＭＣを用意する。この磁気カードＭＣは、ＪＩＳ  Ｉ型、又はＩＩ型の磁気ストライプ付きのいわゆる白無地カードと称されるものである。この磁気カードＭＣは、磁気ストライプや接着剤からなる層の上にベースフィルムが積層されて構成される。なお、磁気カードＭＣは、後述する張り合わせ加工のために厚さが薄いものが望ましい。
【０１５０】
また、認証システムにおいては、図１１（Ａ）に正面図、同図（Ｂ）に側断面図、同図（Ｃ）に斜視図を示すように、２次元写真ＰＩＣが貼付された印刷面部材ＰＭを用意する。この印刷面部材ＰＭには、２次元写真ＰＩＣが貼付されているとともに、認証カードＣＣに視認可能に描かれる文字や図案等が印刷されている。また、印刷面部材ＰＭには、認証カードＣＣを接触型ＩＣカードとして構成するために、ＩＣチップ等のＩＣ部を収容するための記録部材用孔部ＲＭＨと、ホログラフィックステレオグラムＨＬを収容するためのホログラフィックステレオグラム用孔部ＨＬＨとが穿設されている。なお、これらの記録部材用孔部ＲＭＨ及び／又はホログラフィックステレオグラム用孔部ＨＬＨは、凹部であってもよい。
【０１５１】
認証システムにおいては、図１０に示した磁気カードＭＣと図１１に示した印刷面部材ＰＭとを、図１２（Ａ）に側断面図、同図（Ｂ）に斜視図を示すように、製造部６０によって貼り合わせ加工し、第１の中間部材を作製する。
【０１５２】
さらに、認証システムにおいては、図１３（Ａ）に正面図、同図（Ｂ）に側断面図、同図（Ｃ）に斜視図を示すように、ホログラフィックステレオグラムＨＬを用意する。また、認証システムにおいては、図１４（Ａ）に正面図、同図（Ｂ）に側断面図、同図（Ｃ）に斜視図を示すように、ＩＣ部からなる記録部材ＲＭを用意する。
【０１５３】
認証システムにおいては、図１５（Ａ）に側断面図、同図（Ｂ）に斜視図を示すように、製造部６０により、図１３に示したホログラフィックステレオグラムＨＬを第１の中間部材におけるホログラフィックステレオグラム用孔部ＨＬＨに収容するように位置決めするとともに、図１４に示した記録部材ＲＭを第１の中間部材における記録部材用孔部ＲＭＨに収容するように位置決めして貼り合わせ加工し、第２の中間部材を作製する。
【０１５４】
最後に、認証システムにおいては、図１６（Ａ）に正面図、同図（Ｂ）に側断面図、同図（Ｃ）に斜視図を示すように、カバー部材ＣＭを用意する。このカバー部材ＣＭは、２次元写真ＰＩＣ、ホログラフィックステレオグラムＨＬ、及び印刷面部材ＰＭに描かれた文字や図案等が視認可能とされるように、光学的に透明な材料からなる。また、このカバー部材ＣＭには、ＩＣ部における外部端子が外部に露出されるように、外部端子用孔部ＴＭＨが穿設されている。
【０１５５】
認証システムにおいては、図１７（Ａ）に側断面図、同図（Ｂ）に斜視図を示すように、製造部６０により、ＩＣ部の外部端子が外部端子用孔部ＴＭＨを介して外部に露出されるように、図１５に示した第２の中間部材とカバー部材ＣＭとを貼り合わせ加工し、接触型ＩＣカードとしての認証カードＣＣを製造する。
【０１５６】
認証システムにおいては、このような一連の工程を経ることにより、接触型ＩＣカードとしての認証カードＣＣを製造することができる。このとき、認証システムにおいては、カバー部材ＣＭを貼り合わせることにより、認証カードＣＣを凹凸の少ない平板状に加工することができる。これにより、認証カードＣＣは、取り扱い性に優れたものとなる。また、認証システムにおいては、２次元写真ＰＩＣを含む印刷面部材ＰＭやホログラフィックステレオグラムＨＬをカバー部材ＣＭによって覆い、認証カードＣＣの内部に封入することにより、認証カードＣＣの偽造や改竄を困難とすることができる。
【０１５７】
なお、ここでは、認証カードＣＣに視認可能に描かれる文字や図案等が印刷面部材ＰＭに印刷されているものとして説明したが、認証カードＣＣとしては、これらの文字や図案等の一部又は全部をカバー部材ＣＭに印刷したものであってもよい。また、認証カードＣＣとしては、ベース部材となる磁気カードＭＣの露出面側、すなわち、カバー部材ＣＭが貼り合わされている表面側とは逆の裏面側に、文字や図案等を印刷してもよいことはいうまでもない。
【０１５８】
また、認証システムにおいては、認証カードＣＣの組み立て順序を特に限定するものではなく、ベース部材となる磁気カードＭＣ側から順次貼り合わせていくようにしてもよく、また、全ての部材を整列させた状態で一度に貼り合わせるようにしてもよい。
【０１５９】
つぎに、認証カードＣＣの製造に関する第２の具体例について説明する。
【０１６０】
この具体例は、ＩＳＯ／ＩＥＣ  １０５３６，１４４４３,１５６９３、又はＪＩＳ  Ｘ６３２１〜Ｘ６３２３に準拠した外部端子なしのＩＣカードである非接触型ＩＣカードであり、且つ、磁気ストライプが設けられたカードとして、認証カードＣＣを製造するものである。
【０１６１】
まず、認証システムにおいては、先に図９に示したように、上述した撮影部１０によって本人認証対象者である個人Ｐを被写体として撮影し、顔画像等の容姿画像データＬＩを作成する。ここでは、ディジタルスチルカメラによる２次元画像データの撮影を行うものとする。
【０１６２】
また、認証システムにおいては、２次元画像データである容姿画像データＬＩに対して、上述したホログラフィックステレオグラム作製部２０における画像データ処理部１１１によって３次元画像データからなる前景及び背景としての画像データを合成し、得られたオブジェクトデータからなる３次元画像データから視差画像列へとレンダリングした３次元画像データに基づいて、印刷物としてのホログラフィックステレオグラムＨＬを作製する。
【０１６３】
さらに、認証システムにおいては、ホログラフィックステレオグラム作製部２０によって生成される３次元画像データを正面から観察した場合へとレンダリングして得られる２次元画像データを用いて、上述した２次元写真印刷部３０によって２次元写真ＰＩＣを作製する。
【０１６４】
そして、認証システムにおいては、先に図１０に示したように、認証カードＣＣのベース部材となるいわゆる白無地カードと称される磁気カードＭＣを用意する。
【０１６５】
また、認証システムにおいては、図１８（Ａ）に正面図、同図（Ｂ）に側断面図、同図（Ｃ）に斜視図を示すように、認証カードＣＣを非接触型ＩＣカードとして構成するために、ＩＣ部からなる記録部材ＲＭを用意する。この記録部材ＲＭとしてのＩＣ部は、電磁波によって通信するためのアンテナＡＴと、データを記録するとともに外部との通信処理を制御するＩＣチップＣＰとからなる。ここで、ＩＣ部におけるＩＣチップＣＰは、一般に、所定の厚みを有することから、認証システムにおいては、ＩＣチップＣＰのみを厚くしてそれ以外の部分は平坦にし、他の部材と貼り合わせ加工した際にＩＣチップＣＰが破壊されないように、他の部材に孔部を設ける。
【０１６６】
認証システムにおいては、図１０に示した磁気カードＭＣと図１８に示した記録部材ＲＭとを、図１９（Ａ）に側断面図、同図（Ｂ）に斜視図を示すように、製造部６０によって貼り合わせ加工し、第１の中間部材を作製する。
【０１６７】
さらに、認証システムにおいては、先に図１１に示したように、２次元写真ＰＩＣが貼付された印刷面部材ＰＭを用意する。この印刷面部材ＰＭには、２次元写真ＰＩＣが貼付されているとともに、認証カードＣＣに視認可能に描かれる文字や図案等が印刷されている。また、印刷面部材ＰＭには、認証カードＣＣを非接触型ＩＣカードとして構成するために、ＩＣ部におけるＩＣチップＣＰを収容するための記録部材用孔部ＲＭＨと、ホログラフィックステレオグラムＨＬを収容するためのホログラフィックステレオグラム用孔部ＨＬＨとが穿設されている。なお、これらの記録部材用孔部ＲＭＨ及び／又はホログラフィックステレオグラム用孔部ＨＬＨは、凹部であってもよい。
【０１６８】
認証システムにおいては、図２０（Ａ）に側断面図、同図（Ｂ）に斜視図を示すように、製造部６０により、図１８に示したＩＣ部におけるＩＣチップＣＰを第１の中間部材における記録部材用孔部ＲＭＨに収容するように位置決めして貼り合わせ加工し、第２の中間部材を作製する。
【０１６９】
さらにまた、認証システムにおいては、先に図１３に示したように、ホログラフィックステレオグラムＨＬを用意する。
【０１７０】
認証システムにおいては、図２１（Ａ）に側断面図、同図（Ｂ）に斜視図を示すように、製造部６０により、図１３に示したホログラフィックステレオグラムＨＬを第２の中間部材におけるホログラフィックステレオグラム用孔部ＨＬＨに収容するように位置決めして貼り合わせ加工し、第３の中間部材を作製する。
【０１７１】
最後に、認証システムにおいては、図２２（Ａ）に正面図、同図（Ｂ）に側断面図、同図（Ｃ）に斜視図を示すように、カバー部材ＣＭを用意する。このカバー部材ＣＭは、２次元写真ＰＩＣ、ホログラフィックステレオグラムＨＬ、及び印刷面部材ＰＭに描かれた文字や図案等が視認可能とされるように、光学的に透明な材料からなる。なお、このカバー部材ＣＭには、先に図１６に示したカバー部材ＣＭとは異なり、外部端子用孔部ＴＭＨが穿設されるものではない。
【０１７２】
認証システムにおいては、図２３（Ａ）に側断面図、同図（Ｂ）に斜視図を示すように、製造部６０により、図２１に示した第３の中間部材とカバー部材ＣＭとを貼り合わせ加工し、非接触型ＩＣカードとしての認証カードＣＣを製造する。
【０１７３】
認証システムにおいては、このような一連の工程を経ることにより、非接触型ＩＣカードとしての認証カードＣＣを製造することができる。このとき、認証システムにおいては、カバー部材ＣＭを貼り合わせることにより、認証カードＣＣを凹凸の少ない平板状に加工することができる。これにより、認証カードＣＣは、取り扱い性に優れたものとなる。また、認証システムにおいては、２次元写真ＰＩＣを含む印刷面部材ＰＭやホログラフィックステレオグラムＨＬをカバー部材ＣＭによって覆い、認証カードＣＣの内部に封入することにより、認証カードＣＣの偽造や改竄を困難とすることができる。
【０１７４】
なお、ここでは、認証カードＣＣに視認可能に描かれる文字や図案等が印刷面部材ＰＭに印刷されているものとして説明したが、認証カードＣＣとしては、上述した接触型ＩＣカードとしての認証カードＣＣと同様に、これらの文字や図案等の一部又は全部をカバー部材ＣＭに印刷したものであってもよい。また、認証カードＣＣとしては、ベース部材となる磁気カードＭＣの露出面側、すなわち、カバー部材ＣＭが貼り合わされている表面側とは逆の裏面側に、文字や図案等を印刷してもよいことはいうまでもない。
【０１７５】
また、認証システムにおいては、認証カードＣＣの組み立て順序を特に限定するものではなく、ベース部材となる磁気カードＭＣ側から順次貼り合わせていくようにしてもよく、また、全ての部材を整列させた状態で一度に貼り合わせるようにしてもよい。
【０１７６】
さて、このようにして製造される接触型ＩＣカード又は非接触型ＩＣカードとしての認証カードＣＣは、上述した接続情報等の各種情報が情報記録部５０によって記録されることにより、上述したオンラインによる高確度な認証作業、オフラインによる高確度な認証作業、オンライン及びオフラインの両者による高確度な認証作業のいずれにも用いることができる。以下では、これらの組み合わせのうち、上述した第２の具体例として製造した非接触型ＩＣカードとしての認証カードＣＣを用いたオンラインによる高確度な認証作業、上述した第１の具体例として製造した接触型ＩＣカードとしての認証カードＣＣを用いたオフラインによる高確度な認証作業、上述した第１の具体例として製造した接触型ＩＣカードとしての認証カードＣＣを用いたオンライン及びオフラインの両者による高確度な認証作業について具体的に説明する。
【０１７７】
まず、非接触型ＩＣカードとしての認証カードＣＣを用いたオンラインによる高確度な認証作業にて用いられる当該認証カードＣＣの製造手順について説明する。この場合、認証システムにおいては、図２４に示すような一連の工程を経ることにより、各種情報が記録された認証カードＣＣを製造する。
【０１７８】
すなわち、認証システムにおいては、同図に示すように、ステップＳ１において、撮影部１０によって本人認証対象者である個人Ｐを被写体として撮影し、容姿画像データＬＩを作成する。
【０１７９】
続いて、認証システムにおいては、ステップＳ２において、容姿画像データＬＩに対して、ホログラフィックステレオグラム作製部２０における画像データ処理部１１１によって３次元画像データからなる前景及び背景としての画像データを合成し、オブジェクトデータからなる３次元画像データを作成する。
【０１８０】
続いて、認証システムにおいては、ステップＳ３において、ステップＳ２にて得られた３次元画像データを、ホログラフィックステレオグラム作製部２０における画像データ処理部１１１によってレンダリングすることによって視差画像による３次元画像データに変換し、この３次元画像データに基づいて、ステップＳ４において、印刷物としてのホログラフィックステレオグラムＨＬを作製する。
【０１８１】
また、認証システムにおいては、ステップＳ５において、例えばホログラフィックステレオグラム作製部２０によって生成される３次元画像データを正面から観察した場合へとレンダリングすることによって２次元画像データに変換し、この２次元画像データに基づいて、ステップＳ６において、２次元写真印刷部３０によって２次元写真ＰＩＣを作製する。
【０１８２】
一方、認証システムにおいては、これらの工程の後、又はこれらの工程と並列的に、製造部６０によって先に図１０に示した磁気カードＭＣを用意し、この磁気カードＭＣと先に図１８に示した記録部材ＲＭとを貼り合わせ加工することにより、先に図１９に示した第１の中間部材としての非接触型ＩＣ付き磁気カードＭＣ'を作製しておく。そして、認証システムにおいては、ステップＳ４にて作製されたホログラフィックステレオグラムＨＬとステップＳ６にて作製された２次元写真ＰＩＣとを、製造部６０によって非接触型ＩＣ付き磁気カードＭＣ'と貼り合わせ加工することにより、認証カードＣＣを製造する。ただし、この認証カードＣＣには、接続情報等の各種情報が電磁的に記録されてはいない状態のものである。
【０１８３】
さらに、認証システムにおいては、ステップＳ７において、ステップＳ２にて得られた３次元画像データに対して、画像サーバ４０に蓄積するために所定の変換処理を施し、ステップＳ８において、得られた画像データをサーバ画像として画像サーバ４０に記録する。
【０１８４】
続いて、認証システムにおいては、ステップＳ９において、画像サーバ４０に対して接続するための接続情報を作成し、ステップＳ１０において、得られた接続情報を画像サーバ４０に記録する。このとき、認証システムにおいては、例えば図２５に示すような認証情報データベースが作成されて画像サーバ４０に保持される。
【０１８５】
すなわち、認証情報データベースは、同図に示すように、少なくとも、サーバ画像としての画像データを特定するための認証ＩＤと、この認証ＩＤに対応付けられた画像データのファイル名とからなり、さらに付随的に、画像データに映し出されている人物の氏名、住所、年齢、性別といった本人認証対象者の個人情報からなる。
【０１８６】
認証システムにおいては、このような認証情報データベースを画像サーバ４０が保持することにより、上述した認証端末装置７０におけるクライアント端末７２から送信されてきた接続情報に含まれる認証ＩＤをキーに対応するサーバ画像を検索して配信することが可能となる。
【０１８７】
認証システムにおいては、このような認証情報データベースが作成されるとともに、接続情報が画像サーバ４０に記録されると、ステップＳ１１において、接続情報を認証カードＣＣにおける記録部材ＲＭとしての上述したＩＣ部に情報記録部５０によって書き込む。また、認証システムにおいては、接続情報をＩＣ部に書き込むのではなく、ステップＳ１２において、認証カードＣＣにおける磁気ストライプを記録部材ＲＭとして書き込むようにしてもよい。
【０１８８】
さらに、認証システムにおいては、必要に応じて、ステップＳ１３において、画像サーバ４０とクライアント端末７２との間で相互認証を行うための暗号による認証鍵としての鍵情報を生成し、ステップＳ１１において、この鍵情報を認証カードＣＣにおける記録部材ＲＭとしてのＩＣ部に情報記録部５０によって書き込むか、又はステップＳ１２において、鍵情報を認証カードＣＣにおける記録部材ＲＭとしての磁気ストライプに書き込む。
【０１８９】
このとき、認証システムにおいては、画像サーバ４０とクライアント端末７２との間で相互認証を行うことにより、特定のクライアント端末や特定の人物（本人認証判定者）にのみ画像データを読み出すことを可能とする場合には、例えば図２６又は図２７に示すような認証端末データベース又は判定者データベースが作成されて画像サーバ４０に保持される。
【０１９０】
すなわち、特定のクライアント端末にのみ画像データを読み出すことを可能とするために用いられる認証端末データベースは、図２６に示すように、クライアント端末７２を特定するための端末ＩＤと、相互認証を行うために必要となる認証鍵としての公開鍵若しくは秘密鍵といった鍵情報と、クライアント端末７２の管理者を特定するための端末管理者ＩＤと、クライアント端末７２の所在地を示す端末所在地と、クライアント端末７２の使用者たる本人認証判定者ＪＤを特定するための判定者ＩＤとからなる。
【０１９１】
一方、特定の本人認証判定者にのみ画像データを読み出すことを可能とするために用いられる判定者データベースは、図２７に示すように、少なくとも、本人認証判定者ＪＤを特定するための判定者ＩＤと、相互認証を行うために必要となるパスワードと、サーバ画像としての画像データを特定するための認証ＩＤとからなり、さらに付随的に、本人認証判定者ＪＤの氏名、住所、年齢、性別といった本人認証判定者ＪＤの個人情報からなる。
【０１９２】
認証システムにおいては、このような認証端末データベースや判定者データベースを画像サーバ４０が保持することにより、画像サーバ４０とクライアント端末７２との間で相互認証を行うことができ、不正なクライアント端末や本人認証判定者によって画像データが読み出されないようにすることができる。
【０１９３】
認証システムにおいては、このような一連の工程を経ることにより、オンラインによる高確度な認証作業にて用いられる接続情報等の各種情報が電磁的に記録された非接触型ＩＣカードとしての認証カードＣＣを製造することができる。
【０１９４】
つぎに、このようにして製造された非接触型ＩＣカードとしての認証カードＣＣを用いたオンラインによる高確度な認証作業手順について説明する。この場合、認証システムにおいては、図２８に示すような一連の工程を経ることにより、認証カードＣＣを用いたオンラインによる認証作業を行う。
【０１９５】
すなわち、認証システムにおいては、同図に示すように、ステップＳ２１において、本人認証判定者ＪＤによってオンラインによる認証作業を開始するための所定の操作を行う。
【０１９６】
続いて、認証システムにおいては、ステップＳ２２において、認証カードＣＣを上述した認証端末装置７０におけるカードリーダ７１によって読み取るように指示する旨の案内がクライアント端末７２から本人認証判定者ＪＤに対して与えられる。
【０１９７】
続いて、認証システムにおいては、この案内に応じて、ステップＳ２３において、接続情報等の各種情報が電磁的に記録された認証カードＣＣを本人認証判定者ＪＤがカードリーダ７１に挿入することにより、カードリーダ７１によって磁気ストライプとＩＣ部とから情報の読み取り操作を行う。
【０１９８】
続いて、認証システムにおいては、カードリーダ７１によって暗号化されている鍵情報を読み取ると、ステップＳ２４において、その鍵情報をカードリーダ７１に接続されたクライアント端末７２によって復号し、ステップＳ２５において、復号して得られた鍵情報が正当なものであるか否かをクライアント端末７２によって判定する。
【０１９９】
ここで、鍵情報が正当なものでないと判定した場合には、認証システムにおいては、ステップＳ２６において、鍵情報が不正なものである旨をクライアント端末７２における表示画面に表示し、認証失敗として一連の処理を終了する。
【０２００】
一方、鍵情報が正当なものであると判定した場合には、認証システムにおいては、ステップＳ２７へと処理を移行し、鍵情報が正当なものである旨をクライアント端末７２における表示画面に表示する。
【０２０１】
そして、認証システムにおいては、ステップＳ２８において、クライアント端末７２によって画像サーバ４０に接続するための接続情報を読み取り、ステップＳ２９において、クライアント端末７２によって接続情報を含む接続要求コマンドを発行して画像サーバ４０に対して送信することにより、画像サーバ４０への接続要求を行う。
【０２０２】
一方、認証システムにおいては、画像サーバ４０における準備工程として、図２４中ステップＳ８において、画像サーバ４０に対してサーバ画像を記録しておき、ステップＳ１０において、画像サーバ４０に対して接続情報を記録しておくことにより、画像サーバ４０を認証端末装置７０からの接続要求を待ち受ける状態としておく。
【０２０３】
そして、認証システムにおいては、ステップＳ２１乃至ステップＳ２９の工程の後、又はこれらの工程と並列的に、ステップＳ３０において、画像サーバ４０によって認証端末装置７０からの接続要求を待ち受け、ステップＳ３１において、ステップＳ２９にてクライアント端末７２によって発行された接続要求コマンドを画像サーバ４０によって受信する。
【０２０４】
続いて、認証システムにおいては、ステップＳ３２において、画像サーバ４０に保持された上述した認証端末データベースや判定者データベースに基づいて、クライアント端末７２からの接続要求に対する認証を行い、認証の結果、クライアント端末７２や本人認証判定者ＪＤが正当なものであると判定した場合には、ステップＳ３３において、接続を許可する旨を画像サーバ４０からクライアント端末７２に対して送信する。
【０２０５】
これに応じて、認証システムにおいては、ステップＳ３４において、クライアント端末７２によって上述した認証ＩＤを含む画像要求コマンドを発行して画像サーバ４０に対して送信することにより、画像サーバ４０への画像要求を行うと、ステップＳ３５において、この画像要求コマンドを画像サーバ４０によって受信する。
【０２０６】
続いて、認証システムにおいては、ステップＳ３６において、認証ＩＤをキーに画像サーバ４０によって対応するサーバ画像を検索して読み出し、ステップＳ３７において、画像サーバ４０からクライアント端末７２に対して要求されたサーバ画像を配信する。認証システムにおいては、サーバ画像を配信すると、画像サーバ４０は、再び接続要求の待ち受け状態に遷移する。
【０２０７】
続いて、認証システムにおいては、ステップＳ３８において、画像サーバ４０から配信されたサーバ画像をクライアント端末７２によって受信すると、ステップＳ３９において、クライアント端末７２における表示画面にサーバ画像を表示する。
【０２０８】
そして、認証システムにおいては、ステップＳ４０において、本人認証判定者ＪＤによって上述した（Ａ１）乃至（Ａ４）のチェック及び（Ｂ１）乃至（Ｂ４）のチェックを行うことにより、本人認証対象者が正当な本人であるか否かの確認操作を行い、一連の認証処理を終了する。
【０２０９】
認証システムにおいては、このような一連の工程を経ることにより、非接触型ＩＣカードとしての認証カードＣＣを用いて、オンラインによる高確度且つ容易な認証作業を行うことができる。
【０２１０】
つぎに、接触型ＩＣカードとしての認証カードＣＣを用いたオフラインによる高確度な認証作業にて用いられる当該認証カードＣＣの製造手順について説明する。この場合、認証システムにおいては、図２９に示すような一連の工程を経ることにより、各種情報が記録された認証カードＣＣを製造する。
【０２１１】
すなわち、認証システムにおいては、同図に示すように、ステップＳ５１において、撮影部１０によって本人認証対象者である個人Ｐを被写体として撮影し、容姿画像データＬＩを作成する。
【０２１２】
続いて、認証システムにおいては、ステップＳ５２において、容姿画像データＬＩに対して、ホログラフィックステレオグラム作製部２０における画像データ処理部１１１によって３次元画像データからなる前景及び背景としての画像データを合成し、オブジェクトデータからなる３次元画像データを作成する。
【０２１３】
続いて、認証システムにおいては、ステップＳ５３において、ステップＳ５２にて得られた３次元画像データを、ホログラフィックステレオグラム作製部２０における画像データ処理部１１１によってレンダリングすることによって視差画像による３次元画像データに変換し、この３次元画像データに基づいて、ステップＳ５４において、印刷物としてのホログラフィックステレオグラムＨＬを作製する。
【０２１４】
また、認証システムにおいては、ステップＳ５５において、例えばホログラフィックステレオグラム作製部２０によって生成される３次元画像データを正面から観察した場合へとレンダリングすることによって２次元画像データに変換し、この２次元画像データに基づいて、ステップＳ５６において、２次元写真印刷部３０によって２次元写真ＰＩＣを作製する。
【０２１５】
一方、認証システムにおいては、これらの工程の後、又はこれらの工程と並列的に、製造部６０によって先に図１０に示した磁気カードＭＣを用意し、この磁気カードＭＣと先に図１４に示した記録部材ＲＭとを貼り合わせ加工することにより、認証カードＣＣを製造しておく。ただし、この認証カードＣＣには、接続情報等の各種情報が電磁的に記録されてはいない状態のものである。
【０２１６】
さらに、認証システムにおいては、ステップＳ５７において、ステップＳ５２にて得られた３次元画像データに対して、例えば画像データのサイズ、色数、画素数といったパラメータを記録部材ＲＭであるＩＣ部にカード内画像として記録するのに適したものとするための所定の変換処理を施した後、ステップＳ５８において、カード内画像を暗号化及び復号するための暗号鍵と復号鍵とを生成し、画像サーバ４０に記録する。
【０２１７】
続いて、認証システムにおいては、ステップＳ５９において、復号鍵を例えば画像サーバ４０等の所定の保管手段に保管し、ステップＳ６０において、暗号鍵を用いてカード内画像としての画像データを暗号化する。
【０２１８】
そして、認証システムにおいては、ステップＳ６１において、暗号化された画像データを認証カードＣＣにおける記録部材ＲＭとしての上述したＩＣ部に情報記録部５０によって書き込む。
【０２１９】
さらに、認証システムにおいては、必要に応じて、ステップＳ６２において、クライアント端末７２によって認証カードＣＣの認証を行うための暗号による認証鍵としての鍵情報を生成し、ステップＳ６１において、この鍵情報を認証カードＣＣにおける記録部材ＲＭとしてのＩＣ部に情報記録部５０によって書き込むか、又はステップＳ６３において、鍵情報を認証カードＣＣにおける記録部材ＲＭとしての磁気ストライプに書き込む。
【０２２０】
認証システムにおいては、このような一連の工程を経ることにより、オフラインによる高確度な認証作業にて用いられる接続情報等の各種情報が電磁的に記録された接触型ＩＣカードとしての認証カードＣＣを製造することができる。
【０２２１】
なお、認証システムにおいては、記録部材ＲＭにカード内画像として記録する画像データを必ずしも暗号化する必要はない。
【０２２２】
つぎに、このようにして製造された接触型ＩＣカードとしての認証カードＣＣを用いたオフラインによる高確度な認証作業手順について説明する。この場合、認証システムにおいては、図３０に示すような一連の工程を経ることにより、認証カードＣＣを用いたオフラインによる認証作業を行う。
【０２２３】
すなわち、認証システムにおいては、同図に示すように、ステップＳ７１において、図２９中ステップＳ５８にて保管した復号鍵を読み出し、クライアント端末７２における所定の記憶手段に復号鍵を記録することによって認証作業を開始する。
【０２２４】
認証システムにおいては、ステップＳ７２において、本人認証判定者ＪＤによってオンラインによる認証作業を開始するための所定の操作を行い、ステップＳ７３において、認証カードＣＣを認証端末装置７０におけるカードリーダ７１によって読み取るように指示する旨の案内がクライアント端末７２から本人認証判定者ＪＤに対して与えられる。
【０２２５】
続いて、認証システムにおいては、この案内に応じて、ステップＳ７４において、カード内画像等の各種情報が電磁的に記録された認証カードＣＣを本人認証判定者ＪＤがカードリーダ７１に挿入することにより、カードリーダ７１によって磁気ストライプとＩＣ部とから情報の読み取り操作を行う。
【０２２６】
続いて、認証システムにおいては、カードリーダ７１によって暗号化されている鍵情報を読み取ると、ステップＳ７５において、その鍵情報をカードリーダ７１に接続されたクライアント端末７２によって復号し、ステップＳ７６において、復号して得られた鍵情報が正当なものであるか否かをクライアント端末７２によって判定する。
【０２２７】
ここで、鍵情報が正当なものでないと判定した場合には、認証システムにおいては、ステップＳ７７において、鍵情報が不正なものである旨をクライアント端末７２における表示画面に表示し、認証失敗として一連の処理を終了する。
【０２２８】
一方、鍵情報が正当なものであると判定した場合には、認証システムにおいては、ステップＳ７８へと処理を移行し、鍵情報が正当なものである旨をクライアント端末７２における表示画面に表示する。
【０２２９】
続いて、認証システムにおいては、ステップＳ７９において、クライアント端末７２によってカード内画像を読み取り、ステップＳ８０において、クライアント端末７２によって復号鍵を用いてカード内画像を復号し、ステップＳ８１において、復号したカード内画像をクライアント端末７２における表示画面に表示する。
【０２３０】
そして、認証システムにおいては、ステップＳ８２において、本人認証判定者ＪＤによって上述した（Ａ１）乃至（Ａ４）のチェック、（Ｃ１）乃至（Ｃ４）、及び（Ｂ４）のチェックを行うことにより、本人認証対象者が正当な本人であるか否かの確認操作を行い、一連の認証処理を終了する。
【０２３１】
認証システムにおいては、このような一連の工程を経ることにより、接触型ＩＣカードとしての認証カードＣＣを用いて、オフラインによる高確度且つ容易な認証作業を行うことができる。
【０２３２】
つぎに、接触型ＩＣカードとしての認証カードＣＣを用いたオンライン及びオフラインの両者による高確度な認証作業にて用いられる当該認証カードＣＣの製造手順について説明する。この場合、認証システムにおいては、図３１に示すような一連の工程を経ることにより、各種情報が記録された認証カードＣＣを製造する。
【０２３３】
すなわち、認証システムにおいては、同図に示すように、ステップＳ９１において、撮影部１０によって本人認証対象者である個人Ｐを被写体として撮影し、容姿画像データＬＩを作成する。
【０２３４】
続いて、認証システムにおいては、ステップＳ９２において、容姿画像データＬＩに対して、ホログラフィックステレオグラム作製部２０における画像データ処理部１１１によって３次元画像データからなる前景及び背景としての画像データを合成し、オブジェクトデータからなる３次元画像データを作成する。
【０２３５】
続いて、認証システムにおいては、ステップＳ９３において、ステップＳ９２にて得られた３次元画像データを、ホログラフィックステレオグラム作製部２０における画像データ処理部１１１によってレンダリングすることによって視差画像による３次元画像データに変換し、この３次元画像データに基づいて、ステップＳ９４において、印刷物としてのホログラフィックステレオグラムＨＬを作製する。
【０２３６】
また、認証システムにおいては、ステップＳ９５において、例えばホログラフィックステレオグラム作製部２０によって生成される３次元画像データを正面から観察した場合へとレンダリングすることによって２次元画像データに変換し、この２次元画像データに基づいて、ステップＳ９６において、２次元写真印刷部３０によって２次元写真ＰＩＣを作製する。
【０２３７】
一方、認証システムにおいては、これらの工程の後、又はこれらの工程と並列的に、製造部６０によって先に図１０に示した磁気カードＭＣを用意し、この磁気カードＭＣと先に図１４に示した記録部材ＲＭとを貼り合わせ加工することにより、認証カードＣＣを製造しておく。ただし、この認証カードＣＣには、接続情報等の各種情報が電磁的に記録されてはいない状態のものである。
【０２３８】
さらに、認証システムにおいては、ステップＳ９７において、ステップＳ９２にて得られた３次元画像データに対して、画像サーバ４０に蓄積するために所定の変換処理を施し、ステップＳ９８において、得られた画像データをサーバ画像として画像サーバ４０に記録する。
【０２３９】
さらにまた、認証システムにおいては、ステップＳ９９において、ステップＳ９２にて得られた３次元画像データに対して、例えば画像データのサイズ、色数、画素数といったパラメータを記録部材ＲＭであるＩＣ部にカード内画像として記録するのに適したものとするための所定の変換処理を施した後、ステップＳ１００において、カード内画像を暗号化及び復号するための暗号鍵と復号鍵とを生成し、画像サーバ４０に記録する。
【０２４０】
続いて、認証システムにおいては、ステップＳ１０１において、画像サーバ４０に対して接続するための接続情報を作成し、ステップＳ１０２において、得られた接続情報を画像サーバ４０に記録する。
【０２４１】
また、認証システムにおいては、ステップＳ１０３において、ステップＳ１００にて生成された復号鍵を例えば画像サーバ４０等の所定の保管手段に保管し、ステップＳ１０４において、暗号鍵を用いてカード内画像としての画像データを暗号化する。
【０２４２】
そして、認証システムにおいては、接続情報が画像サーバ４０に記録されると、ステップＳ１０５において、接続情報を認証カードＣＣにおける記録部材ＲＭとしての上述したＩＣ部に情報記録部５０によって書き込むとともに、暗号化された画像データを認証カードＣＣにおける記録部材ＲＭとしての上述したＩＣ部に情報記録部５０によって書き込む。また、認証システムにおいては、接続情報をＩＣ部に書き込むのではなく、ステップＳ１０６において、認証カードＣＣにおける磁気ストライプを記録部材ＲＭとして書き込むようにしてもよい。
【０２４３】
さらに、認証システムにおいては、必要に応じて、ステップＳ１０７において、画像サーバ４０とクライアント端末７２との間で相互認証、又はクライアント端末７２によって認証カードＣＣの認証を行うための暗号による認証鍵としての鍵情報を生成し、ステップＳ１０５において、この鍵情報を認証カードＣＣにおける記録部材ＲＭとしてのＩＣ部に情報記録部５０によって書き込むか、又はステップＳ１０６において、鍵情報を認証カードＣＣにおける記録部材ＲＭとしての磁気ストライプに書き込む。
【０２４４】
認証システムにおいては、このような一連の工程を経ることにより、オンライン及びオフラインの両者による高確度な認証作業にて用いられる接続情報等の各種情報が電磁的に記録された接触型ＩＣカードとしての認証カードＣＣを製造することができる。
【０２４５】
なお、認証システムにおいては、記録部材ＲＭにカード内画像として記録する画像データを必ずしも暗号化する必要はない。
【０２４６】
つぎに、このようにして製造された接触型ＩＣカードとしての認証カードＣＣを用いたオンライン及びオフラインの両者による高確度な認証作業手順について説明する。この場合、認証システムにおいては、図３２及び図３３に示すような一連の工程を経ることにより、認証カードＣＣを用いたオンライン及びオフラインの両者による認証作業を行う。
【０２４７】
すなわち、認証システムにおいては、図３２に示すように、ステップＳ１１１において、図３１中ステップＳ１０３にて保管した復号鍵を読み出し、クライアント端末７２における所定の記憶手段に復号鍵を記録することによって認証作業を開始する。
【０２４８】
認証システムにおいては、ステップＳ１１２において、本人認証判定者ＪＤによってオンラインによる認証作業を開始するための所定の操作を行い、ステップＳ１１３において、認証カードＣＣを認証端末装置７０におけるカードリーダ７１によって読み取るように指示する旨の案内がクライアント端末７２から本人認証判定者ＪＤに対して与えられる。
【０２４９】
続いて、認証システムにおいては、この案内に応じて、ステップＳ１１４において、カード内画像等の各種情報が電磁的に記録された認証カードＣＣを本人認証判定者ＪＤがカードリーダ７１に挿入することにより、カードリーダ７１によって磁気ストライプとＩＣ部とから情報の読み取り操作を行う。
【０２５０】
続いて、認証システムにおいては、カードリーダ７１によって暗号化されている鍵情報を読み取ると、ステップＳ１１５において、その鍵情報をカードリーダ７１に接続されたクライアント端末７２によって復号し、ステップＳ１１６において、復号して得られた鍵情報が正当なものであるか否かをクライアント端末７２によって判定する。
【０２５１】
ここで、鍵情報が正当なものでないと判定した場合には、認証システムにおいては、ステップＳ１１７において、鍵情報が不正なものである旨をクライアント端末７２における表示画面に表示し、認証失敗として一連の処理を終了する。
【０２５２】
一方、鍵情報が正当なものであると判定した場合には、認証システムにおいては、ステップＳ１１８へと処理を移行し、鍵情報が正当なものである旨をクライアント端末７２における表示画面に表示する。
【０２５３】
一方、認証システムにおいては、画像サーバ４０における準備工程として、図３１中ステップＳ９８において、画像サーバ４０に対してサーバ画像を記録しておき、ステップＳ１０２において、画像サーバ４０に対して接続情報を記録しておくことにより、画像サーバ４０を認証端末装置７０からの接続要求を待ち受ける状態としておく。
【０２５４】
そして、認証システムにおいては、図３３に示すように、ステップＳ１１９において、クライアント端末７２によって画像サーバ４０に接続するための接続情報を読み取り、ステップＳ１２０において、クライアント端末７２によって接続情報を含む接続要求コマンドを発行して画像サーバ４０に対して送信することにより、画像サーバ４０への接続要求を行う。
【０２５５】
認証システムにおいては、ステップＳ１１１乃至ステップＳ１２０の工程の後、又はこれらの工程と並列的に、ステップＳ１２１において、画像サーバ４０によって認証端末装置７０からの接続要求を待ち受け、ステップＳ１２２において、ステップＳ１２０にてクライアント端末７２によって発行された接続要求コマンドを画像サーバ４０によって受信する。
【０２５６】
続いて、認証システムにおいては、ステップＳ１２３において、画像サーバ４０に保持された上述した認証端末データベースや判定者データベースに基づいて、クライアント端末７２からの接続要求に対する認証を行い、認証の結果、クライアント端末７２や本人認証判定者ＪＤが正当なものであると判定した場合には、ステップＳ１２４において、接続を許可する旨を画像サーバ４０からクライアント端末７２に対して送信する。
【０２５７】
これに応じて、認証システムにおいては、ステップＳ１２５において、クライアント端末７２によって上述した認証ＩＤを含む画像要求コマンドを発行して画像サーバ４０に対して送信することにより、画像サーバ４０への画像要求を行うと、ステップＳ１２６において、この画像要求コマンドを画像サーバ４０によって受信する。
【０２５８】
続いて、認証システムにおいては、ステップＳ１２７において、認証ＩＤをキーに画像サーバ４０によって対応するサーバ画像を検索して読み出し、画像サーバ４０からクライアント端末７２に対して要求されたサーバ画像を配信する。
【０２５９】
続いて、認証システムにおいては、ステップＳ１２８において、画像サーバ４０から配信されたサーバ画像をクライアント端末７２によって受信すると、ステップＳ１２９において、クライアント端末７２における表示画面にサーバ画像を表示する。
【０２６０】
続いて、認証システムにおいては、ステップＳ１３０において、クライアント端末７２によってカード内画像を読み取り、ステップＳ１３１において、復号鍵の更新が必要か否かをクライアント端末７２によって判定する。
【０２６１】
ここで、復号鍵の更新が必要でないものと判定した場合には、認証システムにおいては、ステップＳ１３７へと処理を移行する。一方、復号鍵の更新が必要であるものと判定した場合には、認証システムにおいては、ステップＳ１３２において、クライアント端末７２によって復号鍵要求コマンドを発行して画像サーバ４０に対して送信することにより、画像サーバ４０への復号鍵要求を行うと、ステップＳ１３３において、この復号鍵要求コマンドを画像サーバ４０によって受信する。
【０２６２】
続いて、認証システムにおいては、ステップＳ１３４において、認証ＩＤをキーに画像サーバ４０によって対応する復号鍵を検索して読み出し、ステップＳ１３５において、画像サーバ４０からクライアント端末７２に対して要求された復号鍵を配信する。認証システムにおいては、復号鍵を配信すると、画像サーバ４０は、再び接続要求の待ち受け状態に遷移する。
【０２６３】
続いて、認証システムにおいては、ステップＳ１３６において、画像サーバ４０から配信された復号鍵をクライアント端末７２によって受信すると、ステップＳ１３７において、クライアント端末７２によって復号鍵を用いてカード内画像を復号し、ステップＳ１３８において、復号したカード内画像をクライアント端末７２における表示画面に表示する。
【０２６４】
そして、認証システムにおいては、ステップＳ１３９において、本人認証判定者ＪＤによって上述した（Ａ１）乃至（Ａ４）のチェック、（Ｂ１）乃至（Ｂ４）のチェック、及び（Ｃ１）乃至（Ｃ３）のチェックを行うことにより、本人認証対象者が正当な本人であるか否かの確認操作を行い、一連の認証処理を終了する。
【０２６５】
認証システムにおいては、このような一連の工程を経ることにより、接触型ＩＣカードとしての認証カードＣＣを用いて、オンライン及びオフラインの両者による高確度且つ容易な認証作業を行うことができる。
【０２６６】
さて、以上では、各種具体例について説明してきたが、オンラインによる高確度な認証作業においては、上述したように、画像サーバ４０とクライアント端末７２との間で通信を行い、接続自体の認証の他、サーバ画像及び鍵情報の送受信を行う。そこで、以下では、これらの通信手法について説明する。
【０２６７】
認証システムにおいては、画像サーバ４０とクライアント端末７２との間の通信手段として、例えば、音声電話回線を構成する公衆回線網を適用することができる。この場合、認証システムにおいては、データ通信としては、ＩＴＵ−Ｔ（International Telecommunication Union Telecommunication）によって標準化されているＶ．９０等のモデムを用いることができ、通信プロトコルとしては、無手順であってもよく、また、画像ファイル転送のためのいわゆるＫｅｒｍｉｔ、モデム通信で利用されるバイナリ転送プロトコルであるＸＭＯＤＥＭ若しくはＺＭＯＤＥＭ、このＺＭＯＤＥＭに並ぶ高速な転送プロトコルであるＢ−Ｐｌｕｓ、又はいわゆるＱｕｉｃｋ―ＶＡＮ等を用いることができる。また、認証システムにおいては、いわゆるＰＰＰ（Point to Point Protocol）を用いて、後述するように、ＴＣＰ／ＩＰ（Transmission Control Protocol/Internet Protocol）上でのＦＴＰ（File Transfer Protocol）やＨＴＴＰ（HyperText Transfer Protocol）を用いることもできる。
【０２６８】
ここで、音声通話回線を構成する公衆回線網を用いた１つの具体例について説明する。ここでは、通信プロトコルとして無手順を用い、画像ファイル転送のためにＫｅｒｍｉｔプロトコルを用いるものとする。
【０２６９】
認証システムにおいては、まず、クライアント端末７２によって当該クライアント端末７２内又は認証カードＣＣ内に記録されている接続情報としての電話番号を読み出し、画像サーバ４０へと発呼する。そして、認証システムにおいては、画像サーバ４０によって着呼を確認した上で、モデムによるデータ通信の接続処理が完了すると、上述した認証ＩＤとパスワードとを画像サーバ４０からクライアント端末７２に対して要求する。これに応じて、認証システムにおいては、クライアント端末７２によって当該クライアント端末７２内又は認証カードＣＣ内に記録されている認証ＩＤとパスワードとを読み出して画像サーバ４０へと送信し、画像サーバ４０による接続の認証を得る。
【０２７０】
続いて、認証システムにおいては、クライアント端末７２によって認証しようとする認証カードＣＣから、サーバ画像に関する情報を取り出し、その認証カードＣＣに対応するサーバ画像が画像サーバ４０に蓄積されているか否かを判定する。ここで、対応するサーバ画像が画像サーバ４０に蓄積されているものと判定した場合には、認証システムにおいては、画像サーバ４０とクライアント端末７２とが、それぞれ、Ｋｅｒｍｉｔプロトコルにおける送信状態と受信状態とに移行し、画像サーバ４０からクライアント端末７２に対してサーバ画像を転送する。認証システムにおいては、サーバ画像の転送が完了した段階でサーバ画像の配信が終了し、クライアント端末７２における表示画面にサーバ画像が表示可能な状態とされる。また、認証システムにおいては、必要に応じて、サーバ画像の配信前後の段階で、画像サーバ４０からクライアント端末７２に対する鍵情報の配信を行うこともできる。認証システムにおいては、クライアント端末７２が必要とする各種情報の配信が終了すると、クライアント端末７２又は画像サーバ４０によって接続が確立していた回線を切断し、画像サーバ４０とクライアント端末７２との間の通信を終了する。
【０２７１】
認証システムにおいては、このような手順にしたがって、画像サーバ４０とクライアント端末７２との間の通信を行うことができる。
【０２７２】
また、認証システムにおいては、画像サーバ４０とクライアント端末７２との間の通信手段として、例えば、ＩＥＥＥ（Institute of Electrical and Electronic Engineers）  ８０２．３又は８０２．３ｕに規定されているいわゆるイーサネット（登録商標）、所定の専用線、ＩＴＵ−Ｔ  Ｇ．９９２によって標準化されているＡＤＳＬ（Asymmetric Digital Subscriber Line）等のｘＤＳＬ、又はＩＥＥＥ  ８０２．１１やブルートゥース（Bluetooth（登録商標））等の無線ＬＡＮ（Local Area Network）といった各種通信技術を用いたインターネット又はイントラネットを適用することもできる。さらに、認証システムにおいては、これらの各種通信回線上での通信プロトコルとして、ＴＣＰ／ＩＰ上でのＦＴＰやＨＴＴＰ等を用いることもできる。
【０２７３】
ここで、インターネットを用いた１つの具体例について説明する。ここでは、通信プロトコルとして、ＴＣＰ／ＩＰ上でのＨＴＴＰプロトコル及びＨＴＴＰＳ（Hypertext Transfer Protocol Security）プロトコルを用いるものとする。
【０２７４】
認証システムにおいては、まず、クライアント端末７２によって当該クライアント端末７２内又は認証カードＣＣ内に記録されている接続情報としてのＵＲＩ（Uniform Resource Identifiers）又はＵＲＬを読み出し、いわゆるＧＥＴメソッドによって画像サーバ４０に接続する。そして、認証システムにおいては、インターネット上で通信内容が第三者に傍受されないように、画像サーバ４０によってリダイレクト機能を用いてＨＴＴＰＳプロトコルを用いた新たなＵＲＩ又はＵＲＬへと誘導する。これとともに、認証システムにおいては、画像サーバ４０によって認証機能を用いて認証ＩＤとパスワードとをクライアント端末７２に対して要求する。これに応じて、認証システムにおいては、クライアント端末７２によって当該クライアント端末７２内又は認証カードＣＣ内に記録されている認証ＩＤとパスワードとを読み出して画像サーバ４０へと送信し、画像サーバ４０による接続の認証を得る。
【０２７５】
続いて、認証システムにおいては、クライアント端末７２によって認証しようとする認証カードＣＣから、サーバ画像のＵＲＩ又はＵＲＬ等のサーバ画像に関する情報を取り出し、ＧＥＴメソッド又はＰＯＳＴメソッドによってその認証カードＣＣに対応するサーバ画像を画像サーバ４０に対して要求する。ここで、対応するサーバ画像が画像サーバ４０に蓄積されている場合には、認証システムにおいては、画像サーバ４０からクライアント端末７２に対して該当するサーバ画像を配信する。認証システムにおいては、サーバ画像の配信が完了した段階で、クライアント端末７２における表示画面にサーバ画像が表示可能な状態とされる。また、認証システムにおいては、必要に応じて、サーバ画像の配信前後の段階で、画像サーバ４０からクライアント端末７２に対する鍵情報の配信を行うこともできる。認証システムにおいては、クライアント端末７２が必要とする各種情報の配信が終了すると、クライアント端末７２又は画像サーバ４０によって接続が確立していた回線を切断し、画像サーバ４０とクライアント端末７２との間の通信を終了する。
【０２７６】
認証システムにおいては、このような手順にしたがって、画像サーバ４０とクライアント端末７２との間の通信を行うこともできる。
【０２７７】
さらに、認証システムにおいては、画像サーバ４０とクライアント端末７２との間の通信手段として、例えば、いわゆるｉ−ｍｏｄｅ（登録商標）、Ｊ−ＳＫＹ（登録商標）、ｅｚｗｅｂ（登録商標）、Ｈ''（エッジ；登録商標）、又はドットｉ（登録商標）等の各種無線電話を用いたパケット方式又は回線交換方式によるものを適用することもできる。さらにまた、認証システムにおいては、これらの各種通信回線上での通信プロトコルとして、携帯端末用のプロトコルであるＷＡＰ（Wireless Application Protocol）  １．ｘ、ＷＡＰ  ２．０、又はＨ''ＬＩＮＫプロトコル等を用いることもできる。
【０２７８】
認証システムにおいては、このような各種無線電話を用いた具体例として、ＷＡＰ  ２．０を通信プロトコルとして用いた場合には、通信プロトコルレベルでは、上述したＴＣＰ／ＩＰ上でのＨＴＴＰプロトコルを用いた場合と略同様の処理を行うことになる。
【０２７９】
このように、認証システムにおいては、オンラインによる高確度な認証作業を行う際に、各種通信手段を適用して画像サーバ４０とクライアント端末７２との間で通信を行うことができる。
【０２８０】
以上説明したように、本発明の実施の形態として示す認証システムは、本人認証対象者である個人Ｐを直接的に識別するための可視情報として、当該個人Ｐの容姿画像データＬＩを利用し、少なくとも、この容姿画像データＬＩを２次元写真ＰＩＣとして印刷したものと、容姿画像データＬＩに基づいてホログラフィックステレオグラムＨＬとして作製して印刷したものとを一体化して認証カードＣＣを製造し、この耐偽造性に優れた認証カードＣＣを介して、当該個人Ｐが本人であるか否かの認証を行うことにより、高い確度で容易に本人を識別することができ、さらに、安価な費用で、簡易的な認証であれば認証のための専用の装置等を必要とせず、場所を問わず認証作業を行うことができ、認証作業の煩雑さが少なく、本人認証対象者である個人Ｐへの圧迫感が少ないといった要求をも満足することができる。
【０２８１】
すなわち、認証システムのユーザである本人認証判定者ＪＤは、認証カードＣＣを介して、種々の要求を満足させた上で、高確度且つ容易に認証行為を行うことができる。また、認証システムのユーザである本人認証対象者たる個人Ｐについても、認証カードＣＣを介して、同じく種々の要求を満足させた上で、高確度且つ容易に認証行為が行われ、この認証行為の結果、正当な本人であることが証明された場合には、本人認証判定者ＪＤを介して所定のサービスを享受したり所定の手続きを行ったりすることが可能となる。
【０２８２】
なお、本発明は、上述した実施の形態に限定されるものではなく、例えば、認証カードＣＣに組み込む対象としては、ホログラフィックステレオグラムＨＬの代わりにホログラムを用いてもよい。すなわち、上述した実施の形態では、ホログラフィックステレオグラム作製部２０によって作製されたホログラフィックステレオグラムＨＬを、認証カードＣＣに組み込むものとして説明したが、本発明は、作製されたホログラムを認証カードＣＣに組み込むようにしてもよい。
【０２８３】
また、上述した実施の形態では、本人認証対象者の容姿画像データＬＩに基づいて２次元写真ＰＩＣ及びホログラフィックステレオグラムＨＬを作製するものとして説明したが、本発明は、容姿画像に限らず、本人認証対象者のサイン文字や実印影といった個人を直接的に識別できる可視情報であれば、いかなるものであっても適用することができる。
【０２８４】
さらに、上述した実施の形態では、サーバ画像やカード内画像を本人認証判定者ＪＤによって比較判定するものとして説明したが、本発明は、これらの顔画像等の比較判定を行うための識別については所定の装置によって行うようにしてもよい。例えば、認証システムとしては、本人認証を行った後、管理区域への入退出の許可を与えるといったアプリケーションに適用する場合には、本人認証判定者ＪＤの代わりに、既存の各種画像認識技術を用いて顔画像等の比較判定を行う所定の画像認識装置を設け、入退出門の開閉制御を行うようにしてもよい。
【０２８５】
さらにまた、上述した実施の形態では、先に図９に示したように、撮影部１０としてディジタルスチルカメラを用い、本人認証対象者である個人Ｐの２次元画像データの撮影を行うことによって容姿画像データＬＩを作成するものとして説明したが、本発明は、これ以外の撮影手法を用いることができる。以下、この具体例として３つの例について説明する。
【０２８６】
まず、第１の具体例としては、図３４に示すように、本人認証対象者である個人Ｐを、例えば、前方、左右側方、及び後方といったように、３方向、４方向、又は８方向等の複数方向からディジタルスチルカメラ等によって撮影することにより、複数の２次元画像データとしての容姿画像データＬＩを作成するものである。
【０２８７】
この場合、認証システムにおいては、認証カードＣＣに組み込まれるホログラフィックステレオグラムＨＬを作製するにあたって、当該ホログラフィックステレオグラムＨＬを観察した場合における視差方向とは関係なく、後方、右側方、前方、左側方、再び後方、・・・といったように、各方向の画像が順次再生像として表示されるように、ホログラフィックステレオグラム作製部２０における画像データ処理部１１１によって複数の２次元画像データからなる容姿画像データＬＩを変換して３次元画像データを生成すればよい。そして、認証システムにおいては、この３次元画像データをレンダリングして視差画像列へと変換するが、この際、各方向の画像が順次再生像として表示されるようにするためには、例えばいわゆるアニメーション・レンダリングにおいて時系列で各方向の画像を順次切り替えることにより、適切な視差画像列を生成することができる。
【０２８８】
また、第２の具体例としては、図３５に示すように、本人認証対象者である個人Ｐを、その周囲３６０°の範囲から撮影することにより、視差画像による３次元画像データとしての容姿画像データＬＩを作成するものである。
【０２８９】
ここで、個人Ｐを周囲３６０°の範囲から撮影する手法としては、カメラを固定しておき、被写体たる個人Ｐを回転させながら連続撮影するものや、被写体たる個人Ｐを固定しておき、カメラを周回させながら連続撮影するものや、被写体たる個人Ｐを回転させつつカメラも周回させながら連続撮影するものや、視差画像による３次元画像データを作製するために十分な数の複数台のカメラを被写体たる個人Ｐの周囲に配置して同時撮影するもの等がある。
【０２９０】
この場合、認証システムにおいては、認証カードＣＣに組み込まれるホログラフィックステレオグラムＨＬを作製するにあたって、ホログラフィックステレオグラム作製部２０における画像データ処理部１１１によって視差画像による３次元画像データを３次元データに変換するが、この手法として、撮影して得られた視差画像を用いて被写体の特徴点の対応付けを行うことによって被写体の形状をポリゴンデータ化してポリゴンデータＰＧを生成する手法、撮影して得られた視差画像を用いて画像間の特徴点の対応付けを行うことによっていわゆるモーフィング技術等を用いた補間画像を生成して補間された視差画像を生成する手法、又は撮影して得られた視差画像を用いて被写体の特徴点の対応付けを行うことによって被写体の形状をポリゴンデータ化し、生成されたポリゴンデータＰＧに基づいて補間された視差画像を生成する手法等を用いることができる。
【０２９１】
最後に、第３の具体例としては、図３６に示すように、本人認証対象者である個人Ｐを、必要に応じて、カメラを直線状又は円弧状に移動させて撮影することにより、視差画像による３次元画像データとしての容姿画像データＬＩを作成するものである。
【０２９２】
これは、認証カードＣＣに組み込まれるホログラフィックステレオグラムＨＬが一般には平面であることから、被写体に対する全ての方向からの撮影を要しないことにも由来する。すなわち、ホログラフィックステレオグラムＨＬにおいては、観察方向を変化させたとき、前方、及び左右側方のみならず後方の画像が再生像として表示されるのは却って不自然であり、観察方向に応じて適切な視差画像が再現されることによって正しい立体情報を再現するのが望ましい。ホログラフィックステレオグラムＨＬにおいては、正しい立体情報を再現するためには、再現される視差画像についての撮影時の方向は自ずと制限される。
【０２９３】
そこで、認証システムにおいては、本人認証対象者である個人Ｐを、その周囲３６０°の範囲から撮影するのではなく、例えば、前方、及び左右側方といった必要な範囲をカバーするように撮影し、視差画像による３次元画像データとしての容姿画像データＬＩを作成する。この場合、認証システムにおいては、認証カードＣＣに組み込まれるホログラフィックステレオグラムＨＬを作製するにあたって、ホログラフィックステレオグラム作製部２０における画像データ処理部１１１によって視差画像による３次元画像データを３次元データに変換するが、この手法として、上述したように、撮影して得られた視差画像を用いて被写体の特徴点の対応付けを行うことによって被写体の形状をポリゴンデータ化してポリゴンデータＰＧを生成する手法、撮影して得られた視差画像を用いて画像間の特徴点の対応付けを行うことによっていわゆるモーフィング技術等を用いた補間画像を生成して補間された視差画像を生成する手法、又は撮影して得られた視差画像を用いて被写体の特徴点の対応付けを行うことによって被写体の形状をポリゴンデータ化し、生成されたポリゴンデータＰＧに基づいて補間された視差画像を生成する手法等を用いることができる。
【０２９４】
認証システムにおいては、このような各種撮影手法を用いて容姿画像データＬＩを作成し、容姿画像データＬＩを変換して得られた３次元画像データに基づいて、印刷物としてのホログラフィックステレオグラムＨＬを作製することができ、例えば、３次元画像データを正面から観察した場合へとレンダリングして得られる２次元画像データを用いて、２次元写真ＰＩＣを作製することができる。
【０２９５】
このように、本発明は、その趣旨を逸脱しない範囲で適宜変更が可能であることはいうまでもない。
【０２９６】
【発明の効果】
以上詳細に説明したように、本発明にかかる認証システムは、個人の識別を行って当該個人が正当な本人であることを認証する認証システムであって、個人を直接的に識別する可視情報を２次元写真として印刷する２次元写真印刷手段と、可視情報を、ホログラム又はホログラフィックステレオグラムとして印刷可能なデータに変換するデータ変換処理手段と、このデータ変換処理手段によって変換されて得られたデータに基づいて、ホログラム又はホログラフィックステレオグラムを作製するホログラム又はホログラフィックステレオグラム作製手段と、少なくとも可視情報を含む各種情報を蓄積する情報蓄積手段と、各種情報が記録可能とされる所定の記録部材に対して、情報蓄積手段に接続して蓄積された可視情報を読み出すための接続情報を記録する情報記録手段と、少なくとも、情報記録手段によって接続情報が記録された記録部材と、２次元写真印刷手段によって印刷されて得られた２次元写真と、ホログラム又はホログラフィックステレオグラム作製手段によって作製されて得られたホログラム又はホログラフィックステレオグラムとを一体化し、２次元写真及びホログラム又はホログラフィックステレオグラムが視認可能な状態とされる認証用媒体を製造する認証用媒体製造手段と、情報記録手段によって記録部材に記録された接続情報に基づいて情報蓄積手段に接続し、情報蓄積手段に蓄積されている情報の中から、接続情報に対応する可視情報を受信して提示する提示手段とを備える。
【０２９７】
したがって、本発明にかかる認証システムは、接続情報が記録された記録部材と、可視情報の２次元写真と、可視情報に基づくホログラム又はホログラフィックステレオグラムとを認証用媒体製造手段によって一体化し、２次元写真及びホログラム又はホログラフィックステレオグラムが視認可能な状態とされる認証用媒体を製造し、この認証用媒体を所持する本人認証対象者たる個人を認証する際に、提示手段によって記録部材に記録された接続情報に基づいて情報蓄積手段に接続し、情報蓄積手段に蓄積されている情報の中から、接続情報に対応する可視情報を受信して本人認証判定者に対して提示することにより、安価な費用で、簡易的な認証であれば認証のための専用の装置等を必要とせず、場所を問わず認証作業を行うことができ、認証作業の煩雑さが少なく、本人認証対象者である個人への圧迫感が少ないといった要求を満足した上で、高い確度で容易に本人を識別することができる。
【０２９８】
また、本発明にかかる認証方法は、個人の識別を行って当該個人が正当な本人であることを認証する認証方法であって、個人を直接的に識別する可視情報を２次元写真として印刷する２次元写真印刷工程と、可視情報を、ホログラム又はホログラフィックステレオグラムとして印刷可能なデータに変換するデータ変換処理工程と、このデータ変換処理工程にて変換されて得られたデータに基づいて、ホログラム又はホログラフィックステレオグラムを作製するホログラム又はホログラフィックステレオグラム作製工程と、少なくとも可視情報を含む各種情報を所定の情報蓄積手段に蓄積する情報蓄積工程と、各種情報が記録可能とされる所定の記録部材に対して、情報蓄積手段に接続して蓄積された可視情報を読み出すための接続情報を記録する情報記録工程と、少なくとも、情報記録工程にて接続情報が記録された記録部材と、２次元写真印刷工程にて印刷されて得られた２次元写真と、ホログラム又はホログラフィックステレオグラム作製工程にて作製されて得られたホログラム又はホログラフィックステレオグラムとを一体化し、２次元写真及びホログラム又はホログラフィックステレオグラムが視認可能な状態とされる認証用媒体を製造する認証用媒体製造工程と、情報記録工程にて記録部材に記録された接続情報に基づいて情報蓄積手段に接続し、情報蓄積手段に蓄積されている情報の中から、接続情報に対応する可視情報を受信して提示する提示工程とを備える。
【０２９９】
したがって、本発明にかかる認証方法は、接続情報が記録された記録部材と、可視情報の２次元写真と、可視情報に基づくホログラム又はホログラフィックステレオグラムとを一体化し、２次元写真及びホログラム又はホログラフィックステレオグラムが視認可能な状態とされる認証用媒体を製造し、この認証用媒体を所持する本人認証対象者たる個人を認証する際に、記録部材に記録された接続情報に基づいて情報蓄積手段に接続し、情報蓄積手段に蓄積されている情報の中から、接続情報に対応する可視情報を受信して本人認証判定者に対して提示することにより、安価な費用で、簡易的な認証であれば認証のための専用の装置等を必要とせず、場所を問わず認証作業を行うことができ、認証作業の煩雑さが少なく、本人認証対象者である個人への圧迫感が少ないといった要求を満足した上で、高い確度で容易に本人を識別することが可能となる。
【０３００】
さらに、本発明にかかる認証システムは、個人の識別を行って当該個人が正当な本人であることを認証する認証システムであって、個人を直接的に識別する可視情報を２次元写真として印刷する２次元写真印刷手段と、可視情報を、ホログラム又はホログラフィックステレオグラムとして印刷可能なデータに変換するデータ変換処理手段と、このデータ変換処理手段によって変換されて得られたデータに基づいて、ホログラム又はホログラフィックステレオグラムを作製するホログラム又はホログラフィックステレオグラム作製手段と、各種情報が記録可能とされる所定の記録部材に対して、可視情報を記録する情報記録手段と、少なくとも、情報記録手段によって可視情報が記録された記録部材と、２次元写真印刷手段によって印刷されて得られた２次元写真と、ホログラム又はホログラフィックステレオグラム作製手段によって作製されて得られたホログラム又はホログラフィックステレオグラムとを一体化し、２次元写真及びホログラム又はホログラフィックステレオグラムが視認可能な状態とされる認証用媒体を製造する認証用媒体製造手段と、情報記録手段によって記録部材に記録された可視情報を読み出して提示する提示手段とを備える。
【０３０１】
したがって、本発明にかかる認証システムは、可視情報が記録された記録部材と、可視情報の２次元写真と、可視情報に基づくホログラム又はホログラフィックステレオグラムとを認証用媒体製造手段によって一体化し、２次元写真及びホログラム又はホログラフィックステレオグラムが視認可能な状態とされる認証用媒体を製造し、この認証用媒体を所持する本人認証対象者たる個人を認証する際に、提示手段によって記録部材に記録された可視情報を読み出して本人認証判定者に対して提示することにより、安価な費用で、簡易的な認証であれば認証のための専用の装置等を必要とせず、場所を問わず認証作業を行うことができ、認証作業の煩雑さが少なく、本人認証対象者である個人への圧迫感が少ないといった要求を満足した上で、高い確度で容易に本人を識別することができる。
【０３０２】
さらにまた、本発明にかかる認証方法は、個人の識別を行って当該個人が正当な本人であることを認証する認証方法であって、個人を直接的に識別する可視情報を２次元写真として印刷する２次元写真印刷工程と、可視情報を、ホログラム又はホログラフィックステレオグラムとして印刷可能なデータに変換するデータ変換処理工程と、このデータ変換処理工程にて変換されて得られたデータに基づいて、ホログラム又はホログラフィックステレオグラムを作製するホログラム又はホログラフィックステレオグラム作製工程と、各種情報が記録可能とされる所定の記録部材に対して、可視情報を記録する情報記録工程と、少なくとも、情報記録工程にて可視情報が記録された記録部材と、２次元写真印刷工程にて印刷されて得られた２次元写真と、ホログラム又はホログラフィックステレオグラム作製工程にて作製されて得られたホログラム又はホログラフィックステレオグラムとを一体化し、２次元写真及びホログラム又はホログラフィックステレオグラムが視認可能な状態とされる認証用媒体を製造する認証用媒体製造工程と、情報記録工程にて記録部材に記録された可視情報を読み出して提示する提示工程とを備える。
【０３０３】
したがって、本発明にかかる認証方法は、可視情報が記録された記録部材と、可視情報の２次元写真と、可視情報に基づくホログラム又はホログラフィックステレオグラムとを一体化し、２次元写真及びホログラム又はホログラフィックステレオグラムが視認可能な状態とされる認証用媒体を製造し、この認証用媒体を所持する本人認証対象者たる個人を認証する際に、記録部材に記録された可視情報を読み出して本人認証判定者に対して提示することにより、安価な費用で、簡易的な認証であれば認証のための専用の装置等を必要とせず、場所を問わず認証作業を行うことができ、認証作業の煩雑さが少なく、本人認証対象者である個人への圧迫感が少ないといった要求を満足した上で、高い確度で容易に本人を識別することが可能となる。
【０３０４】
また、本発明にかかる認証用媒体製造装置は、個人の識別を行って当該個人が正当な本人であることを認証する認証システムに用いられる認証用媒体を製造する認証用媒体製造装置であって、個人を直接的に識別する可視情報を２次元写真として印刷する２次元写真印刷手段と、可視情報を、ホログラム又はホログラフィックステレオグラムとして印刷可能なデータに変換するデータ変換処理手段と、このデータ変換処理手段によって変換されて得られたデータに基づいて、ホログラム又はホログラフィックステレオグラムを作製するホログラム又はホログラフィックステレオグラム作製手段と、少なくとも可視情報を含む各種情報を蓄積する情報蓄積手段と、各種情報が記録可能とされる所定の記録部材に対して、情報蓄積手段に接続して蓄積された可視情報を読み出すための接続情報を記録する情報記録手段と、少なくとも、情報記録手段によって接続情報が記録された記録部材と、２次元写真印刷手段によって印刷されて得られた２次元写真と、ホログラム又はホログラフィックステレオグラム作製手段によって作製されて得られたホログラム又はホログラフィックステレオグラムとを一体化し、２次元写真及びホログラム又はホログラフィックステレオグラムが視認可能な状態とされる認証用媒体を製造する認証用媒体製造手段とを備える。
【０３０５】
したがって、本発明にかかる認証用媒体製造装置は、接続情報が記録された記録部材と、可視情報の２次元写真と、可視情報に基づくホログラム又はホログラフィックステレオグラムとを認証用媒体製造手段によって一体化し、２次元写真及びホログラム又はホログラフィックステレオグラムが視認可能な状態とされる認証用媒体を製造することにより、安価な費用で、簡易的な認証であれば認証のための専用の装置等を必要とせず、場所を問わず認証作業を行うことができ、認証作業の煩雑さが少なく、本人認証対象者である個人への圧迫感が少ないといった要求を満足した上で、高い確度で容易に本人を識別することが可能となる認証用媒体を製造することができる。
【０３０６】
さらに、本発明にかかる認証端末装置は、個人を直接的に識別する可視情報を２次元写真として印刷する２次元写真印刷手段と、可視情報を、ホログラム又はホログラフィックステレオグラムとして印刷可能なデータに変換するデータ変換処理手段と、このデータ変換処理手段によって変換されて得られたデータに基づいて、ホログラム又はホログラフィックステレオグラムを作製するホログラム又はホログラフィックステレオグラム作製手段と、少なくとも可視情報を含む各種情報を蓄積する情報蓄積手段と、各種情報が記録可能とされる所定の記録部材に対して、情報蓄積手段に接続して蓄積された可視情報を読み出すための接続情報を記録する情報記録手段と、少なくとも、情報記録手段によって接続情報が記録された記録部材と、２次元写真印刷手段によって印刷されて得られた２次元写真と、ホログラム又はホログラフィックステレオグラム作製手段によって作製されて得られたホログラム又はホログラフィックステレオグラムとを一体化し、２次元写真及びホログラム又はホログラフィックステレオグラムが視認可能な状態とされる認証用媒体を製造する認証用媒体製造手段とを備える認証用媒体製造装置によって製造された認証用媒体を用いて、個人の識別を行って当該個人が正当な本人であることを認証する認証端末装置であって、情報記録手段によって記録部材に記録された接続情報を読み出す情報読み出し手段と、この情報読み出し手段によって記録部材から読み出した接続情報に基づいて情報蓄積手段に接続し、情報蓄積手段に蓄積されている情報の中から、接続情報に対応する可視情報を受信して提示する提示手段とを備える。
【０３０７】
したがって、本発明にかかる認証端末装置は、接続情報が記録された記録部材と、可視情報の２次元写真と、可視情報に基づくホログラム又はホログラフィックステレオグラムとが一体化され、２次元写真及びホログラム又はホログラフィックステレオグラムが視認可能な状態とされる認証用媒体を所持する本人認証対象者たる個人を認証する際に、提示手段によって記録部材に記録された接続情報に基づいて情報蓄積手段に接続し、情報蓄積手段に蓄積されている情報の中から、接続情報に対応する可視情報を受信して本人認証判定者に対して提示することにより、安価な費用で、簡易的な認証であれば認証のための専用の装置等を必要とせず、場所を問わず認証作業を行うことができ、認証作業の煩雑さが少なく、本人認証対象者である個人への圧迫感が少ないといった要求を満足した上で、高い確度で容易に本人を識別することができる。
【０３０８】
さらにまた、本発明にかかる認証用媒体製造装置は、個人の識別を行って当該個人が正当な本人であることを認証する認証システムに用いられる認証用媒体を製造する認証用媒体製造装置であって、個人を直接的に識別する可視情報を２次元写真として印刷する２次元写真印刷手段と、可視情報を、ホログラム又はホログラフィックステレオグラムとして印刷可能なデータに変換するデータ変換処理手段と、このデータ変換処理手段によって変換されて得られたデータに基づいて、ホログラム又はホログラフィックステレオグラムを作製するホログラム又はホログラフィックステレオグラム作製手段と、各種情報が記録可能とされる所定の記録部材に対して、可視情報を記録する情報記録手段と、少なくとも、情報記録手段によって可視情報が記録された記録部材と、２次元写真印刷手段によって印刷されて得られた２次元写真と、ホログラム又はホログラフィックステレオグラム作製手段によって作製されて得られたホログラム又はホログラフィックステレオグラムとを一体化し、２次元写真及びホログラム又はホログラフィックステレオグラムが視認可能な状態とされる認証用媒体を製造する認証用媒体製造手段とを備える。
【０３０９】
したがって、本発明にかかる認証用媒体製造装置は、可視情報が記録された記録部材と、可視情報の２次元写真と、可視情報に基づくホログラム又はホログラフィックステレオグラムとを認証用媒体製造手段によって一体化し、２次元写真及びホログラム又はホログラフィックステレオグラムが視認可能な状態とされる認証用媒体を製造することにより、安価な費用で、簡易的な認証であれば認証のための専用の装置等を必要とせず、場所を問わず認証作業を行うことができ、認証作業の煩雑さが少なく、本人認証対象者である個人への圧迫感が少ないといった要求を満足した上で、高い確度で容易に本人を識別することが可能となる認証用媒体を製造することができる。
【０３１０】
また、本発明にかかる認証端末装置は、個人を直接的に識別する可視情報を２次元写真として印刷する２次元写真印刷手段と、可視情報を、ホログラム又はホログラフィックステレオグラムとして印刷可能なデータに変換するデータ変換処理手段と、このデータ変換処理手段によって変換されて得られたデータに基づいて、ホログラム又はホログラフィックステレオグラムを作製するホログラム又はホログラフィックステレオグラム作製手段と、各種情報が記録可能とされる所定の記録部材に対して、可視情報を記録する情報記録手段と、少なくとも、情報記録手段によって可視情報が記録された記録部材と、２次元写真印刷手段によって印刷されて得られた２次元写真と、ホログラム又はホログラフィックステレオグラム作製手段によって作製されて得られたホログラム又はホログラフィックステレオグラムとを一体化し、２次元写真及びホログラム又はホログラフィックステレオグラムが視認可能な状態とされる認証用媒体を製造する認証用媒体製造手段とを備える認証用媒体製造装置によって製造された認証用媒体を用いて、個人の識別を行って当該個人が正当な本人であることを認証する認証端末装置であって、情報記録手段によって記録部材に記録された可視情報を読み出す情報読み出し手段と、この情報読み出し手段によって記録部材から読み出した可視情報を提示する提示手段とを備える。
【０３１１】
したがって、本発明にかかる認証端末装置は、可視情報が記録された記録部材と、可視情報の２次元写真と、可視情報に基づくホログラム又はホログラフィックステレオグラムとが一体化され、２次元写真及びホログラム又はホログラフィックステレオグラムが視認可能な状態とされる認証用媒体を所持する本人認証対象者たる個人を認証する際に、提示手段によって記録部材に記録された可視情報を読み出して本人認証判定者に対して提示することにより、安価な費用で、簡易的な認証であれば認証のための専用の装置等を必要とせず、場所を問わず認証作業を行うことができ、認証作業の煩雑さが少なく、本人認証対象者である個人への圧迫感が少ないといった要求を満足した上で、高い確度で容易に本人を識別することができる。
【図面の簡単な説明】
【図１】本発明の実施の形態として示す認証システムの概念について説明する図であって、認証カードを製造して発行するまでの概念について説明する図である。
【図２】同認証システムが備えるホログラフィックステレオグラム作製部によって作製されるホログラフィックステレオグラムを説明する図であって、（Ａ）は、ある観察方向からホログラフィックステレオグラムを観察している様子を示し、（Ｂ）は、（Ａ）に示す観察方向から観察したときに観察される再生像を示し、（Ｃ）は、他の観察方向からホログラフィックステレオグラムを観察している様子を示し、（Ｄ）は、（Ｃ）に示す観察方向から観察したときに観察される再生像を示す図である。
【図３】同ホログラフィックステレオグラム作製部の全体構成を説明する図である。
【図４】同ホログラフィックステレオグラム作製部が有する印刷部を説明する図であって、（Ａ）は、同印刷部の正面図であり、（Ｂ）は、同印刷部の平面図である。
【図５】同認証システムの概念について説明する図であって、認証カードを用いた簡易的な認証作業の概念について説明する図である。
【図６】同認証システムの概念について説明する図であって、認証カードを用いたオンラインによる高確度な認証作業の概念について説明する図である。
【図７】同認証システムの概念について説明する図であって、認証カードを用いたオフラインによる高確度な認証作業の概念について説明する図である。
【図８】同認証システムの概念について説明する図であって、認証カードを用いたオンライン及びオフラインの両者による高確度な認証作業の概念について説明する図である。
【図９】同認証システムにおける認証カードの製造に関する具体例を説明する図であって、本人認証対象者を撮影して２次元写真及びホログラフィックステレオグラムを作製するまでの様子を説明する図である。
【図１０】同認証システムにおける認証カードの製造に関する第１の具体例として、接触型ＩＣカードとしての認証カードの製造工程について説明する図であって、（Ａ）は、認証カードのベース部材となる磁気カードの正面図であり、（Ｂ）は、磁気カードの側断面図であり、（Ｃ）は、磁気カードの斜視図である。
【図１１】同認証システムにおける認証カードの製造に関する第１の具体例として、接触型ＩＣカードとしての認証カードの製造工程について説明する図であって、（Ａ）は、２次元写真が貼付された印刷面部材の正面図であり、（Ｂ）は、印刷面部材の側断面図であり、（Ｃ）は、印刷面部材の斜視図である。
【図１２】同認証システムにおける認証カードの製造に関する第１の具体例として、接触型ＩＣカードとしての認証カードの製造工程について説明する図であって、（Ａ）は、磁気カードと印刷面部材とを貼り合わせ加工して作製される第１の中間部材の側断面図であり、（Ｂ）は、第１の中間部材の斜視図である。
【図１３】同認証システムにおける認証カードの製造に関する第１の具体例として、接触型ＩＣカードとしての認証カードの製造工程について説明する図であって、（Ａ）は、ホログラフィックステレオグラムの正面図であり、（Ｂ）は、ホログラフィックステレオグラムの側断面図であり、（Ｃ）は、ホログラフィックステレオグラムの斜視図である。
【図１４】同認証システムにおける認証カードの製造に関する第１の具体例として、接触型ＩＣカードとしての認証カードの製造工程について説明する図であって、（Ａ）は、ＩＣ部からなる記録部材の正面図であり、（Ｂ）は、記録部材の側断面図であり、（Ｃ）は、記録部材の斜視図である。
【図１５】同認証システムにおける認証カードの製造に関する第１の具体例として、接触型ＩＣカードとしての認証カードの製造工程について説明する図であって、（Ａ）は、ホログラフィックステレオグラムと記録部材とを第１の中間部材に収容して貼り合わせ加工して作製される第２の中間部材の側断面図であり、（Ｂ）は、第２の中間部材の斜視図である。
【図１６】同認証システムにおける認証カードの製造に関する第１の具体例として、接触型ＩＣカードとしての認証カードの製造工程について説明する図であって、（Ａ）は、カバー部材の正面図であり、（Ｂ）は、カバー部材の側断面図であり、（Ｃ）は、カバー部材の斜視図である。
【図１７】同認証システムにおける認証カードの製造に関する第１の具体例として、接触型ＩＣカードとしての認証カードの製造工程について説明する図であって、（Ａ）は、第２の中間部材とカバー部材とを貼り合わせ加工して最終的に製造される接触型ＩＣカードとしての認証カードの側断面図であり、（Ｂ）は、認証カードの斜視図である。
【図１８】同認証システムにおける認証カードの製造に関する第２の具体例として、非接触型ＩＣカードとしての認証カードの製造工程について説明する図であって、（Ａ）は、ＩＣ部からなる記録部材の正面図であり、（Ｂ）は、記録部材の側断面図であり、（Ｃ）は、記録部材の斜視図である。
【図１９】同認証システムにおける認証カードの製造に関する第２の具体例として、非接触型ＩＣカードとしての認証カードの製造工程について説明する図であって、（Ａ）は、磁気カードと記録部材とを貼り合わせ加工して作製される第１の中間部材の側断面図であり、（Ｂ）は、第１の中間部材の斜視図である。
【図２０】同認証システムにおける認証カードの製造に関する第２の具体例として、非接触型ＩＣカードとしての認証カードの製造工程について説明する図であって、（Ａ）は、記録部材を第１の中間部材に収容して貼り合わせ加工して作製される第２の中間部材の側断面図であり、（Ｂ）は、第２の中間部材の斜視図である。
【図２１】同認証システムにおける認証カードの製造に関する第２の具体例として、非接触型ＩＣカードとしての認証カードの製造工程について説明する図であって、（Ａ）は、ホログラフィックステレオグラムを第２の中間部材に収容して貼り合わせ加工して作製される第３の中間部材の側断面図であり、（Ｂ）は、第３の中間部材の斜視図である。
【図２２】同認証システムにおける認証カードの製造に関する第２の具体例として、非接触型ＩＣカードとしての認証カードの製造工程について説明する図であって、（Ａ）は、カバー部材の正面図であり、（Ｂ）は、カバー部材の側断面図であり、（Ｃ）は、カバー部材の斜視図である。
【図２３】同認証システムにおける認証カードの製造に関する第２の具体例として、非接触型ＩＣカードとしての認証カードの製造工程について説明する図であって、（Ａ）は、第３の中間部材とカバー部材とを貼り合わせ加工して最終的に製造される非接触型ＩＣカードとしての認証カードの側断面図であり、（Ｂ）は、認証カードの斜視図である。
【図２４】非接触型ＩＣカードとしての認証カードを用いたオンラインによる高確度な認証作業にて用いられる各種情報が記録された当該認証カードを製造する際の一連の工程を説明するフローチャートである。
【図２５】認証情報データベースの構成を説明する図である。
【図２６】認証端末データベースの構成を説明する図である。
【図２７】判定者データベースの構成を説明する図である。
【図２８】非接触型ＩＣカードとしての認証カードを用いたオンラインによる高確度な認証作業を行う際の一連の工程を説明するフローチャートである。
【図２９】接触型ＩＣカードとしての認証カードを用いたオフラインによる高確度な認証作業にて用いられる各種情報が記録された当該認証カードを製造する際の一連の工程を説明するフローチャートである。
【図３０】接触型ＩＣカードとしての認証カードを用いたオフラインによる高確度な認証作業を行う際の一連の工程を説明するフローチャートである。
【図３１】接触型ＩＣカードとしての認証カードを用いたオンライン及びオフラインの両者による高確度な認証作業にて用いられる各種情報が記録された当該認証カードを製造する際の一連の工程を説明するフローチャートである。
【図３２】接触型ＩＣカードとしての認証カードを用いたオンライン及びオフラインの両者による高確度な認証作業を行う際の一連の工程を説明するフローチャートである。
【図３３】接触型ＩＣカードとしての認証カードを用いたオンライン及びオフラインの両者による高確度な認証作業を行う際の一連の工程を説明するフローチャートであって、図３２に続く一連の工程を説明するフローチャートである。
【図３４】本人認証対象者を複数方向から撮影することにより、複数の２次元画像データとしての容姿画像データを作成する様子を説明する図である。
【図３５】本人認証対象者をその周囲３６０°の範囲から撮影することにより、視差画像による３次元画像データとしての容姿画像データを作成する様子を説明する図である。
【図３６】カメラを直線状又は円弧状に移動させて本人認証対象者を撮影することにより、視差画像による３次元画像データとしての容姿画像データを作成する様子を説明する図である。
【符号の説明】
１０  撮影部、  ２０  ホログラフィックステレオグラム作製部、  ３０  ２次元写真印刷部、  ４０  画像サーバ、  ５０  情報記録部、  ６０  製造部、７０  認証端末装置、  ７１  カードリーダ、  ７２  クライアント端末、  １１１  画像データ処理部、  ＡＴ  アンテナ、  ＣＣ  認証カード、  ＣＭ  カバー部材、  ＣＰ  ＩＣチップ、  ＨＬ  ホログラフィックステレオグラム、ＨＬＨ  ホログラフィックステレオグラム用孔部、  ＪＤ  本人認証判定者、ＬＩ  容姿画像データ、  ＭＣ  磁気カード、  Ｐ  個人、  ＰＧ  ポリゴンデータ、  ＰＩＣ  ２次元写真、  ＰＭ  印刷面部材、  ＲＭ  記録部材、  ＲＭＨ  記録部材用孔部、  ＴＭＨ  外部端子用孔部
【図１】
0003744442.tif 000002
【図２】
0003744442.tif 000003
【図３】
0003744442.tif 000004
【図４】
0003744442.tif 000005
【図５】
0003744442.tif 000006
【図６】
0003744442.tif 000007
【図７】
0003744442.tif 000008
【図８】
0003744442.tif 000009
【図９】
0003744442.tif 000010
【図１０】
0003744442.tif 000011
【図１１】
0003744442.tif 000012
【図１２】
0003744442.tif 000013
【図１３】
0003744442.tif 000014
【図１４】
0003744442.tif 000015
【図１５】
0003744442.tif 000016
【図１６】
0003744442.tif 000017
【図１７】
0003744442.tif 000018
【図１８】
0003744442.tif 000019
【図１９】
0003744442.tif 000020
【図２０】
0003744442.tif 000021
【図２１】
0003744442.tif 000022
【図２２】
0003744442.tif 000023
【図２３】
0003744442.tif 000024
【図２４】
0003744442.tif 000025
【図２５】
0003744442.tif 000026
【図２６】
0003744442.tif 000027
【図２７】
0003744442.tif 000028
【図２８】
0003744442.tif 000029
【図２９】
0003744442.tif 000030
【図３０】
0003744442.tif 000031
【図３１】
0003744442.tif 000032
【図３２】
0003744442.tif 000033
【図３３】
0003744442.tif 000034
【図３４】
0003744442.tif 000035
【図３５】
0003744442.tif 000036
【図３６】
0003744442.tif 000037